(57)【要約】【課題】調湿装置における調湿能力の調節幅を拡張する。【解決手段】制御部（95）は、第１調湿運転と第２調湿運転とが行われるように冷媒回路（50）と流路切換機構（40）とを制御する。第１調湿運転では、バイパス通路（80）が閉鎖され、室外空気（OA）が第１および第２吸着熱交換器（51,52）の一方を通過して室内に供給され、室内空気（RA）が第１および第２吸着熱交換器（51,52）の他方を通過して室外に排出される。第２調湿運転では、バイパス通路（80）が開通し、室外空気（OA）が第１および第２吸着熱交換器（51,52）の一方とバイパス通路（80）とを通過して室内に供給され、室内空気（RA）が第１および第２吸着熱交換器（51,52）の他方を通過して室外に排出される。【選択図】図１
2018004244.tif 000002
【特許請求の範囲】
【請求項１】
第１および第２調湿室（37,38）とバイパス通路（80）とが設けられたケーシング（11）と、
圧縮機（53）と上記第１および第２調湿室（37,38）にそれぞれ設けられる第１および第２吸着熱交換器（51,52）とを有し、該第１および第２吸着熱交換器（51,52）を凝縮器と蒸発器とに切り換えることが可能な冷媒回路（50）と、
上記ケーシング（11）内における空気の流路を切り換える流路切換機構（40）と、
第１調湿運転と第２調湿運転とが行われるように上記冷媒回路（50）と上記流路切換機構（40）とを制御する制御部（95）とを備え、
上記第１調湿運転では、上記バイパス通路（80）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、
上記第２調湿運転では、上記バイパス通路（80）が開通し、上記ケーシング（11）内に取り込まれた室外空気（OA）が上記第１および第２吸着熱交換器（51,52）の一方と上記バイパス通路（80）とを通過して室内に供給され、該ケーシング（11）内に取り込まれた室内空気（RA）が該第１および第２吸着熱交換器（51,52）の他方を通過して室外に排出される
ことを特徴とする調湿装置。
【請求項２】
請求項１において、
上記バイパス通路（80）は、第１および第２バイパス通路（81,82）を含み、
上記第１調湿運転では、上記第１および第２バイパス通路（81,82）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、
上記第２調湿運転では、上記第１および第２バイパス通路（81,82）が開通し、上記ケーシング（11）内に取り込まれた室外空気（OA）が上記第１および第２吸着熱交換器（51,52）の一方と上記第１および第２バイパス通路（81,82）の一方とを通過して室内に供給され、該ケーシング（11）内に取り込まれた室内空気（RA）が該第１および第２吸着熱交換器（51,52）の他方と該第１および第２バイパス通路（81,82）の他方とを通過して室外に排出される
ことを特徴とする調湿装置。
【請求項３】
請求項１または２において、
上記制御部（95）は、上記第１調湿運転が行われている場合に、上記圧縮機（53）の目標運転容量（Ctg）が予め定められた下限運転容量（CL）を下回ると、該第１調湿運転から上記第２調湿運転に切り換わるように上記冷媒回路（50）と上記流路切換機構（40）とを制御する
ことを特徴とする調湿装置。
【請求項４】
請求項１〜３のいずれか１項において、
上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御する
ことを特徴とする調湿装置。
【請求項５】
請求項３において、
上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御し、
上記第１調湿運転において上記圧縮機（53）の運転容量が上記下限運転容量（CL）となる場合に対応する第１調湿能力が上記第２調湿運転において該圧縮機（53）の運転容量が上記上限運転容量（CH）となる場合に対応する第２調湿能力よりも低くなるように、該下限運転容量（CL）と該上限運転容量（CH）が設定されている
ことを特徴とする調湿装置。
【請求項６】
請求項１〜５のいずれか１項において、
上記制御部（95）は、上記第２調湿運転が行われている場合に、上記第１および第２調湿室（37,38）と上記バイパス通路（80）とのうち少なくとも１つにおける結露の発生を防止するために予め定められた結露保護条件が成立すると、該第２調湿運転が終了するように上記冷媒回路（50）と上記流路切換機構（40）とを制御する
ことを特徴とする調湿装置。
【発明の詳細な説明】
【技術分野】
【０００１】
この発明は、調湿装置に関する。
【背景技術】
【０００２】
従来、室内の調湿（湿度調節）を行う調湿装置が知られている。例えば、特許文献１には、圧縮機と第１および第２吸着熱交換器とを有する冷媒回路を備え、第１および第２吸着熱交換器を用いて空気の調湿を行う調湿装置が記載されている。この調湿装置では、第１吸着熱交換器が蒸発器となり第２吸着熱交換器が凝縮器となる第１動作と、第１吸着熱交換器が凝縮器となり第２吸着熱交換器が蒸発器となる第２動作とが交互に行われる。そして、除湿運転では、室外空気が蒸発器となっている吸着熱交換器を通過して除湿されて室内に供給され、室内空気が凝縮器となっている吸着熱交換器を通過して加湿されて室外に排出される。一方、加湿運転では、室外空気が凝縮器となっている吸着熱交換器を通過して加湿されて室内に供給され、室内空気が蒸発器となっている吸着熱交換器を通過して除湿されて室外に排出される。
【先行技術文献】
【特許文献】
【０００３】
【特許文献１】特開２０１３−３６７３１号公報
【発明の概要】
【発明が解決しようとする課題】
【０００４】
特許文献１の調湿装置では、調湿運転（除湿運転/加湿運転）における調湿能力の調節幅（調節可能範囲の幅）は、圧縮機の運転容量の調節幅に依存している。すなわち、圧縮機の運転容量の調節幅が広くなるに連れて調湿能力の調節幅が広くなる傾向にある。しかしながら、圧縮機の運転容量の調節幅の拡張には限界があるので、調湿運転における調湿能力の調節幅を拡張することが困難であった。
【０００５】
そこで、この発明は、調湿能力の調節幅を拡張することが可能な調湿装置を提供することを目的とする。
【課題を解決するための手段】
【０００６】
第１の発明は、第１および第２調湿室（37,38）とバイパス通路（80）とが設けられたケーシング（11）と、圧縮機（53）と上記第１および第２調湿室（37,38）にそれぞれ設けられる第１および第２吸着熱交換器（51,52）とを有し、該第１および第２吸着熱交換器（51,52）を凝縮器と蒸発器とに切り換えることが可能な冷媒回路（50）と、上記ケーシング（11）内における空気の流路を切り換える流路切換機構（40）と、第１調湿運転と第２調湿運転とが行われるように上記冷媒回路（50）と上記流路切換機構（40）とを制御する制御部（95）とを備え、上記第１調湿運転では、上記バイパス通路（80）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、上記第２調湿運転では、上記バイパス通路（80）が開通し、上記ケーシング（11）内に取り込まれた室外空気（OA）が上記第１および第２吸着熱交換器（51,52）の一方と上記バイパス通路（80）とを通過して室内に供給され、該ケーシング（11）内に取り込まれた室内空気（RA）が該第１および第２吸着熱交換器（51,52）の他方を通過して室外に排出されることを特徴とする調湿装置である。
【０００７】
上記第１の発明では、調湿運転の調湿能力は、圧縮機（53）の運転容量と第１および第２吸着熱交換器（51,52）を通過する空気の流量（特に吸着熱交換器（51,52）を通過する室外空気（OA）の風量）とに依存している。すなわち、吸着熱交換器（51,52）を通過する室外空気（OA）の風量が多くなるに連れて調湿装置の調湿能力が高くなる傾向にある。ここで、第２調湿運転では、室外空気（OA）が第１および第２吸着熱交換器（51,52）の一方とバイパス通路（80）とに分流するので、第２調湿運転において吸着熱交換器（51,52）を通過する室外空気（OA）の風量は、第１調湿運転において吸着熱交換器（51,52）を通過する室外空気（OA）の風量よりも少なくなる。
【０００８】
したがって、上記第１の発明では、第１調湿運転から第２調湿運転に切り換えることにより、吸着熱交換器（51,52）を通過する室外空気（OA）の風量を減少させて調湿装置の調湿能力の調節可能範囲を負側（低い側）にシフトさせることができる。逆に、第２調湿運転から第１調湿運転に切り換えることにより、吸着熱交換器（51,52）を通過する室外空気（OA）の風量を増加させて調湿装置の調湿能力の調節可能範囲を正側（高い側）にシフトさせることができる。これにより、調湿装置の調湿能力の調節可能範囲を第２調湿運転における調節可能範囲から第１調湿運転における調節可能範囲に戻すことができる。
【０００９】
第２の発明は、上記第１の発明において、上記バイパス通路（80）は、第１および第２バイパス通路（81,82）を含み、上記第１調湿運転では、上記第１および第２バイパス通路（81,82）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、上記第２調湿運転では、上記第１および第２バイパス通路（81,82）が開通し、上記ケーシング（11）内に取り込まれた室外空気（OA）が上記第１および第２吸着熱交換器（51,52）の一方と上記第１および第２バイパス通路（81,82）の一方とを通過して室内に供給され、該ケーシング（11）内に取り込まれた室内空気（RA）が該第１および第２吸着熱交換器（51,52）の他方と該第１および第２バイパス通路（81,82）の他方とを通過して室外に排出されることを特徴とする調湿装置である。
【００１０】
上記第２の発明では、調湿運転の調湿能力は、圧縮機（53）の運転容量と第１および第２吸着熱交換器（51,52）を通過する空気の流量（以下「吸着熱交換器（51,52）の通過風量」と記載）とに依存している。すなわち、吸着熱交換器（51,52）の通過風量が多くなるに連れて調湿装置の調湿能力が高くなる傾向にある。ここで、第２調湿運転では、室外空気（OA）が第１および第２吸着熱交換器（51,52）の一方と第１および第２バイパス通路（81,82）の一方とに分流し、室内空気（RA）が第１および第２吸着熱交換器（51,52）の他方と第１および第２バイパス通路（81,82）の他方とに分流するので、第２調湿運転における吸着熱交換器（51,52）の通過風量は、第１調湿運転における吸着熱交換器（51,52）の通過風量よりも少なくなる。
【００１１】
したがって、上記第２の発明では、第１調湿運転から第２調湿運転に切り換えることにより、吸着熱交換器（51,52）の通過風量を減少させて調湿装置の調湿能力の調節可能範囲を負側（低い側）にシフトさせることができる。逆に、第２調湿運転から第１調湿運転に切り換えることにより、吸着熱交換器（51,52）の通過風量を増加させて調湿装置の調湿能力の調節可能範囲を正側（高い側）にシフトさせることができる。これにより、調湿装置の調湿能力の調節可能範囲を第２調湿運転における調節可能範囲から第１調湿運転における調節可能範囲に戻すことができる。
【００１２】
第３の発明は、上記第１または第２の発明において、上記制御部（95）は、上記第１調湿運転が行われている場合に、上記圧縮機（53）の目標運転容量（Ctg）が予め定められた下限運転容量（CL）を下回ると、該第１調湿運転から上記第２調湿運転に切り換わるように上記冷媒回路（50）と上記流路切換機構（40）とを制御することを特徴とする調湿装置である。
【００１３】
上記第３の発明では、第１調湿運転において圧縮機（53）の目標運転容量（Ctg）が下限運転容量（CL）を下回る場合に第１調湿運転から第２調湿運転に切り換えることにより、調湿装置の調湿能力を負側に調節する余裕がなくなりそうな場合に調湿装置の調湿能力の調節可能範囲を負側にシフトさせることができる。
【００１４】
第４の発明は、上記第１〜第３の発明のいずれか１つにおいて、上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御することを特徴とする調湿装置である。
【００１５】
上記第４の発明では、第２調湿運転において圧縮機（53）の目標運転容量（Ctg）が上限運転容量（CH）を上回る場合に第２調湿運転から第１調湿運転に切り換えることにより、調湿装置の調湿能力を正側に調節する余裕がなくなりそうな場合に調湿装置の調湿能力の調節可能範囲を正側にシフトさせることができる。
【００１６】
第５の発明は、上記第３の発明において、上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御し、上記第１調湿運転において上記圧縮機（53）の運転容量が上記下限運転容量（CL）となる場合に対応する第１調湿能力が上記第２調湿運転において該圧縮機（53）の運転容量が上記上限運転容量（CH）となる場合に対応する第２調湿能力よりも低くなるように、該下限運転容量（CL）と該上限運転容量（CH）が設定されていることを特徴とする調湿装置である。
【００１７】
上記第５の発明では、第１調湿運転から第２調湿運転に切り換えられた直後に圧縮機（53）の運転容量が上限運転容量（CH）を上回って第２調湿運転から第１調湿運転に戻ってしまうことを防止することができる。また、第２調湿運転から第１調湿運転に切り換えられた直後に圧縮機（53）の運転容量が下限運転容量（CL）を下回って第１調湿運転から第２調湿運転に戻ってしまうことを防止することができる。
【００１８】
第６の発明は、上記第１〜第５の発明のいずれか１つにおいて、上記制御部（95）は、上記第２調湿運転が行われている場合に、上記第１および第２調湿室（37,38）と上記バイパス通路（80）とのうち少なくとも１つにおける結露の発生を防止するために予め定められた結露保護条件が成立すると、該第２調湿運転が終了するように上記冷媒回路（50）と上記流路切換機構（40）とを制御することを特徴とする調湿装置である。
【００１９】
上記第６の発明では、第２調湿運転において結露保護条件が成立する場合に第２調湿運転を終了させることができる。
【発明の効果】
【００２０】
第１〜第４の発明によれば、第１調湿運転と第２調湿運転とを切り換えることにより、調湿装置の調湿能力の調節可能範囲をシフトさせることができるので、第１調湿運転のみを行う場合よりも、調湿装置の調湿能力の調節幅（調節可能範囲の幅）を拡張することができる。
【００２１】
第５の発明によれば、第１調湿運転と第２調湿運転との切り換えが頻発する現象（いわゆるハンチング）の発生を防止することができる。
【００２２】
第６の発明によれば、第２調湿運転において結露保護条件が成立する場合に第２調湿運転を終了させることができるので、第１および第２調湿室（37,38）と第１および第２バイパス通路（81,82）とのうち少なくとも１つにおける結露の発生を防止することができる。
【図面の簡単な説明】
【００２３】
【図１】図１は、ケーシングの天板を省略して前面側から見た実施形態１による調湿装置を示した斜視図である。
【図２】図２は、ケーシングの一部および電装品箱を省略して前面側から見た実施形態１による調湿装置を示した斜視図である。
【図３】図３は、ケーシングの天板を省略して背面側から見た実施形態１による調湿装置を示した斜視図である。
【図４】図４は、実施形態１による調湿装置の概略構造を示した概略図である。
【図５】図５は、実施形態１における空気の経路とダンパの開閉と吸着熱交換器を通過する空気の種類との対応関係を示した表である。
【図６】図６は、冷媒回路の構成を示した配管系統図である。
【図７】図７は、四方切換弁の状態と吸着熱交換器の状態との対応関係を示した表である。
【図８】図８は、実施形態１における通常調湿運転の第１動作について説明するための概略図である。
【図９】図９は、実施形態１における通常調湿運転の第２動作について説明するための概略図である。
【図１０】図１０は、実施形態１におけるバイパス調湿運転の第１動作について説明するための概略図である。
【図１１】図１１は、実施形態１におけるバイパス調湿運転の第２動作について説明するための概略図である。
【図１２】図１２は、調湿運転の動作と空気の経路と冷媒回路の冷凍サイクル動作と運転状態との対応関係を示した表である。
【図１３】図１３は、運転モードの切り換えについて説明するための状態遷移図である。
【図１４】図１４は、運転モードと圧縮機の運転容量と調湿能力との関係について説明するためのグラフである。
【図１５】図１５は、実施形態２による調湿装置の概略構造を示した概略図である。
【図１６】図１６は、実施形態２における空気の経路とダンパの開閉と吸着熱交換器を通過する空気の種類との対応関係を示した表である。
【図１７】図１７は、実施形態２における通常調湿運転の第１動作について説明するための概略図である。
【図１８】図１８は、実施形態２における通常調湿運転の第２動作について説明するための概略図である。
【図１９】図１９は、実施形態２におけるバイパス調湿運転の第１動作について説明するための概略図である。
【図２０】図２０は、実施形態２におけるバイパス調湿運転の第２動作について説明するための概略図である。
【発明を実施するための形態】
【００２４】
以下、実施の形態を図面を参照して詳しく説明する。なお、図中同一または相当部分には同一の符号を付しその説明は繰り返さない。
【００２５】
（調湿装置）
図１〜図４は、実施形態による調湿装置（10）の構成例を示している。この調湿装置（10）は、室内の湿度調節とともに室内の換気を行うものであり、吸い込んだ室外空気（OA）を湿度調節して供給空気（SA）として室内に供給する一方で、吸い込んだ室内空気（RA）を湿度調節して排出空気（EA）として室外に排出するように構成されている。調湿装置（10）は、ケーシング（11）と、冷媒回路（50）と、流路切換機構（40）と、コントローラ（95）とを備えている。
【００２６】
ケーシング（11）には、第１および第２調湿室（37,38）と、第１または第２調湿室（37,38）をバイパスして空気を流すためのバイパス通路（80）とが設けられている。この例では、バイパス通路（80）は、第１バイパス通路（81）と第２バイパス通路（82）とを含んでいる。冷媒回路（50）は、圧縮機（53）と、第１および第２調湿室（37,38）にそれぞれ設けられる第１および第２吸着熱交換器（51,52）とを有し、第１および第２吸着熱交換器（51,52）を凝縮器と蒸発器とに切り換えることが可能に構成されている。流路切換機構（40）は、ケーシング（11）内における空気の流路を切り換えるように構成されている。
【００２７】
図１〜図４に示すように、調湿装置（10）のケーシング（11）内には、冷媒回路（50）が収容されている。冷媒回路（50）は、第１吸着熱交換器（51）と、第２吸着熱交換器（52）と、圧縮機（53）と、四方切換弁（54）と、電動膨張弁（55）とを有している。冷媒回路（50）については、後述する。なお、以下の説明で用いる「上」「下」「左」「右」「前」「後」「手前」「奥」は、特にことわらない限り、調湿装置（10）を前面側から見た場合の方向を意味している。
【００２８】
〈ケーシング〉
ケーシング（11）は、やや扁平で高さが比較的低い直方体状に形成されている。ケーシング（11）では、図１における左手前の側面（すなわち、前面）を形成する部分が前面パネル部（12）となり、図１における右奥の側面（すなわち、背面）を形成する部分が背面パネル部（13）となっている。また、このケーシング（11）では、図１における右手前の側面を形成する部分が第１側面パネル部（14）となり、図１における左奥の側面を形成する部分が第２側面パネル部（15）となっている。
【００２９】
ケーシング（11）には、外気吸込口（24）と、内気吸込口（23）と、給気口（22）と、排気口（21）とが形成されている。外気吸込口（24）および排気口（21）は、それぞれダクトを介して室外空間と連通する。内気吸込口（23）および給気口（22）は、それぞれダクトを介して室内空間と連通する。
【００３０】
外気吸込口（24）および内気吸込口（23）は、背面パネル部（13）に設けられている。外気吸込口（24）は、背面パネル部（13）の下側部分に配置されている。内気吸込口（23）は、背面パネル部（13）の上側部分に配置されている。給気口（22）は、第１側面パネル部（14）に設けられている。第１側面パネル部（14）において、給気口（22）は、前面パネル部（12）側の端部付近に配置されている。排気口（21）は、第２側面パネル部（15）に設けられている。第２側面パネル部（15）において、排気口（21）は、前面パネル部（12）側の端部付近に配置されている。
【００３１】
ケーシング（11）の内部空間には、上流側仕切板（71）と、下流側仕切板（72）と、中央仕切板（73）とが設けられている。これらの仕切板（71〜73）は、何れもケーシング（11）の底板に起立した状態で設置されており、ケーシング（11）の内部空間をケーシング（11）の底板から天板に亘って区画している。
【００３２】
上流側仕切板（71）および下流側仕切板（72）は、前面パネル部（12）および背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。中央仕切板（73）の配置については、後述する。
【００３３】
上流側仕切板（71）の左右方向の幅は、ケーシング（11）の左右方向の幅よりも短くなっている。上流側仕切板（71）の右端部は、その概ね下半分が切り欠かれており、その上半分が第１側面パネル部（14）に接続されている。上流側仕切板（71）の左端部と第２側面パネル部（15）との間には、隙間が形成されている。
【００３４】
下流側仕切板（72）の左右方向の幅は、上流側仕切板（71）の左右方向の幅よりも短くなっている。下流側仕切板（72）の右端部と第１側面パネル部（14）との間には、隙間が形成されている。下流側仕切板（72）の左端部と第２側面パネル部（15）との間にも、隙間が形成されている。
【００３５】
第１仕切板（74）は、上流側仕切板（71）と下流側仕切板（72）との間の空間を右側から塞ぐように配置されている。具体的には、第１仕切板（74）は、第１側面パネル部（14）と平行となり、且つ上流側仕切板（71）および下流側仕切板（72）と直交する姿勢で配置されている。第１仕切板（74）の前端部は、下流側仕切板（72）の右端部に接続されている。第１仕切板（74）の後端部は、上流側仕切板（71）に接続されている。
【００３６】
第２仕切板（75）は、上流側仕切板（71）と下流側仕切板（72）との間の空間を左側から塞ぐように配置されている。具体的には、第２仕切板（75）は、第２側面パネル部（15）と平行となり、且つ上流側仕切板（71）および下流側仕切板（72）と直交する姿勢で配置されている。第２仕切板（75）の前端部は、下流側仕切板（72）の左端部に接続されている。第２仕切板（75）の後端部は、背面パネル部（13）に接続されている。また、この第２仕切板（75）には、上流側仕切板（71）の左端部が接続されている。
【００３７】
ケーシング（11）内において、上流側仕切板（71）と背面パネル部（13）との間の空間は、上下二つの空間に仕切られており、上側の空間が内気側通路（32）を構成し、下側の空間が外気側通路（34）を構成している。内気側通路（32）は内気吸込口（23）と連通し、外気側通路（34）は外気吸込口（24）と連通する。
【００３８】
内気側通路（32）には、内気側フィルタ（27）と、内気温度センサ（91）と、内気湿度センサ（92）が設置されている。内気温度センサ（91）は、内気側通路（32）を流れる室内空気（RA）の温度を検出する。内気湿度センサ（92）は、内気側通路（32）を流れる室内空気（RA）の相対湿度を検出する。外気側通路（34）には、外気側フィルタ（28）と、外気温度センサ（93）と、外気湿度センサ（94）が設置されている。外気温度センサ（93）は、外気側通路（34）を流れる室外空気（OA）の温度を検出する。外気湿度センサ（94）は、外気側通路（34）を流れる室外空気（OA）の相対湿度を検出する。なお、図１〜図３では、内気温度センサ（91）と内気湿度センサ（92）と外気温度センサ（93）と外気湿度センサ（94）の図示を省略している。
【００３９】
ケーシング（11）内において、上流側仕切板（71）と下流側仕切板（72）との間の空間は、中央仕切板（73）によって左右に区画されており、中央仕切板（73）の右側の空間が第１調湿室（37）を構成し、中央仕切板（73）の左側の空間が第２調湿室（38）を構成している。第１調湿室（37）には、第１吸着熱交換器（51）が収容されている。第２調湿室（38）には、第２吸着熱交換器（52）が収容されている。また、図示しないが、第１調湿室（37）には、冷媒回路（50）の電動膨張弁（55）が収容されている。以下の説明では、第１および第２調湿室（37,38）の総称を「調湿室（37,38）」と記載し、第１および第２吸着熱交換器（51,52）の総称を「吸着熱交換器（51,52）」と記載する。
【００４０】
吸着熱交換器（51,52）は、いわゆるクロスフィン型のフィン・アンド・チューブ熱交換器の表面に吸着剤を担持させたものである。この吸着剤としては、ゼオライト、シリカゲル、活性炭、親水性の官能基を有する有機高分子材料など、空気中の水分を吸着できる材料が用いられている。なお、この明細書の「吸着剤」には、水蒸気の吸着と吸収の両方を行う材料（いわゆる収着剤）も含まれる。
【００４１】
吸着熱交換器（51,52）は、全体として長方形の厚板状あるいは扁平な直方体状に形成されている。そして、吸着熱交換器（51,52）は、その前面および背面が上流側仕切板（71）および下流側仕切板（72）と平行になる姿勢で、調湿室（37,38）内に起立した状態で設置されている。
【００４２】
ケーシング（11）の内部空間において、下流側仕切板（72）の前面に沿った空間は、上下に仕切られており、上側の空間が給気側通路（31）を構成し、下側の空間が排気側通路（33）を構成している。
【００４３】
上流側仕切板（71）には、四つの開閉式のダンパ（41〜44）が設けられている。各ダンパ（41〜44）は、概ね横長の長方形状に形成されている。具体的には、上流側仕切板（71）のうち内気側通路（32）に面する部分（上側部分）において、中央仕切板（73）よりも右側に第１内気側ダンパ（41）が取り付けられ、中央仕切板（73）よりも左側に第２内気側ダンパ（42）が取り付けられる。上流側仕切板（71）のうち外気側通路（34）に面する部分（下側部分）において、中央仕切板（73）よりも右側に第１外気側ダンパ（43）が取り付けられ、中央仕切板（73）よりも左側に第２外気側ダンパ（44）が取り付けられる。
【００４４】
第１内気側ダンパ（41）を開閉すると、内気側通路（32）と第１調湿室（37）との間が断続される。第２内気側ダンパ（42）を開閉すると、内気側通路（32）と第２調湿室（38）との間が断続される。第１外気側ダンパ（43）を開閉すると、外気側通路（34）と第１調湿室（37）との間が断続される。第２外気側ダンパ（44）を開閉すると、外気側通路（34）と第２調湿室（38）との間が断続される。
【００４５】
下流側仕切板（72）には、四つの開閉式のダンパ（45〜48）が設けられている。各ダンパ（45〜48）は、概ね横長の長方形状に形成されている。具体的には、下流側仕切板（72）のうち給気側通路（31）に面する部分（上側部分）において、中央仕切板（73）よりも右側に第１給気側ダンパ（45）が取り付けられ、中央仕切板（73）よりも左側に第２給気側ダンパ（46）が取り付けられる。下流側仕切板（72）のうち排気側通路（33）に面する部分（下側部分）において、中央仕切板（73）よりも右側に第１排気側ダンパ（47）が取り付けられ、中央仕切板（73）よりも左側に第２排気側ダンパ（48）が取り付けられる。
【００４６】
第１給気側ダンパ（45）を開閉すると、給気側通路（31）と第１調湿室（37）との間が断続される。第２給気側ダンパ（46）を開閉すると、給気側通路（31）と第２調湿室（38）との間が断続される。第１排気側ダンパ（47）を開閉すると、排気側通路（33）と第１調湿室（37）との間が断続される。第２排気側ダンパ（48）を開閉すると、排気側通路（33）と第２調湿室（38）との間が断続される。
【００４７】
ケーシング（11）内において、給気側通路（31）および排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４８】
給気ファン室（36）には、給気ファン（26）が収容されている。また、排気ファン室（35）には排気ファン（25）が収容されている。この例では、給気ファン（26）および排気ファン（25）は、いずれも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４９】
給気ファン室（36）には、冷媒回路（50）の圧縮機（53）と四方切換弁（54）とが収容されている。圧縮機（53）および四方切換弁（54）は、給気ファン室（36）における給気ファン（26）と仕切板（77）との間に配置されている。
【００５０】
ケーシング（11）の前面パネル部（12）には、電装品箱（90）が取り付けられている。電装品箱（90）には、コントローラ（95）が収容されている。コントローラ（95）については、後述する。
【００５１】
ケーシング（11）内において、第１仕切板（74）と第１側面パネル部（14）との間の空間は、第１バイパス通路（81）を構成し、第２仕切板（75）と第２側面パネル部（15）との間の空間は、第２バイパス通路（82）を構成している。第１および第２バイパス通路（81,82）は、第１および第２調湿室（37,38）をバイパスして空気（室外空気（OA）および室内空気（RA））を流すための通路である。この例では、第１および第２バイパス通路（81,82）は、第１および第２調湿室（37,38）にそれぞれ隣接するように設けられている。
【００５２】
第１バイパス通路（81）の始端（背面パネル部（13）側の端部）は、外気側通路（34）だけに連通しており、内気側通路（32）からは遮断されている。第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）と排気側通路（33）と給気ファン室（36）から区画されている。仕切板（78）のうち給気ファン室（36）に臨む部分には、第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００５３】
第２バイパス通路（82）の始端（背面パネル部（13）側の端部）は、内気側通路（32）だけに連通しており、外気側通路（34）からは遮断されている。第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）と排気側通路（33）と排気ファン室（35）から区画されている。仕切板（79）のうち排気ファン室（35）に臨む部分には、第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００５４】
なお、図４の右側面図および左側面図では、第１バイパス通路（81）と第２バイパス通路（82）と第１バイパス用ダンパ（83）と第２バイパス用ダンパ（84）の図示を省略している。
【００５５】
〈流路切換機構〉
この例では、上述した八つのダンパ（41〜48）と第１および第２バイパス用ダンパ（83,84）が流路切換機構（40）を構成している。流路切換機構（40）は、ケーシング（11）内における空気の流路を切り換えるように構成されている。具体的には、流路切換機構（40）は、八つのダンパ（41〜48）とバイパス用ダンパ（83,84）をそれぞれ開閉させることで、ケーシング（11）内における空気の流路を第１経路（図８）と第２経路（図９）と第３経路（図１０）と第４経路（図１１）とに切り換える。なお、図８〜図１１では、閉状態となっているダンパにはハッチングが付されている。
【００５６】
《第１経路》
第１経路（図８）を形成する場合には、第１および第２バイパス用ダンパ（83,84）が閉状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１および第２バイパス通路（81,82）が閉鎖され、ケーシング（11）内に取り込まれた室外空気（OA）が第１吸着熱交換器（51）を通過して室内に供給され、ケーシング（11）内に取り込まれた室内空気（RA）が第２吸着熱交換器（52）を通過して室外に排出される。
【００５７】
《第２経路》
第２経路（図９）を形成する場合には、第１および第２バイパス用ダンパ（83,84）が閉状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１および第２バイパス通路（81,82）が閉鎖され、ケーシング（11）内に取り込まれた室外空気（OA）が第２吸着熱交換器（52）を通過して室内に供給され、ケーシング（11）内に取り込まれた室内空気（RA）が第１吸着熱交換器（51）を通過して室外に排出される。
【００５８】
《第３経路》
第３経路（図１０）を形成する場合には、第１および第２バイパス用ダンパ（83,84）が開状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１および第２バイパス通路（81,82）が開通し、ケーシング（11）内に取り込まれた室外空気（OA）が第１吸着熱交換器（51）と第１バイパス通路（81）とを通過して室内に供給され、ケーシング（11）内に取り込まれた室内空気（RA）が第２吸着熱交換器（52）と第２バイパス通路（82）とを通過して室外に排出される。
【００５９】
《第４経路》
第４経路（図１１）を形成する場合には、第１および第２バイパス用ダンパ（83,84）が開状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１および第２バイパス通路（81,82）が開通し、ケーシング（11）内に取り込まれた室外空気（OA）が第２吸着熱交換器（52）と第１バイパス通路（81）とを通過して室内に供給され、ケーシング（11）内に取り込まれた室内空気（RA）が第１吸着熱交換器（51）と第２バイパス通路（82）とを通過して室外に排出される。
【００６０】
なお、空気の経路（第１〜第４経路）とダンパ（41〜48,83,84）の開閉と吸着熱交換器（51,52）を通過する空気の種類（室外空気（OA）と室内空気（RA））との対応関係は、図５に示すとおりである。
【００６１】
〈冷媒回路〉
図６は、冷媒回路（50）の構成例を示している。冷媒回路（50）は、第１吸着熱交換器（51）と、第２吸着熱交換器（52）と、圧縮機（53）と、四方切換弁（54）と、電動膨張弁（55）とが設けられた閉回路である。この冷媒回路（50）は、充填された冷媒を循環させることによって、蒸気圧縮冷凍サイクルを行う。具体的には、冷媒回路（50）は、第１冷凍サイクル動作と第２冷凍サイクル動作とを行うように構成されている。
【００６２】
冷媒回路（50）において、圧縮機（53）は、その吐出管が四方切換弁（54）の第１ポートに接続され、その吸入管が四方切換弁（54）の第２ポートに接続されている。また、冷媒回路（50）では、四方切換弁（54）の第３ポートから第４ポートへ向かって順に、第１吸着熱交換器（51）と電動膨張弁（55）と第２吸着熱交換器（52）とが配置されている。
【００６３】
四方切換弁（54）は、第１ポートと第３ポートが連通して第２ポートと第４ポートが連通する第１状態（図６の実線で示された状態）と、第１ポートと第４ポートが連通して第２ポートと第３ポートが連通する第２状態（図６の破線で示された状態）とに切り換え可能となっている。
【００６４】
圧縮機（53）は、その運転容量を変更可能に構成されている。この例では、圧縮機（53）は、圧縮機構とそれを駆動する電動機とが一つのケーシングに収容された全密閉型の圧縮機である。この圧縮機（53）の電動機には、インバータを介して交流が供給される。インバータの出力周波数（すなわち、圧縮機（53）の運転周波数）を変更すると、電動機とそれによって駆動される圧縮機構の回転速度が変化し、圧縮機（53）の運転容量が変化する。圧縮機構の回転速度を上昇させると圧縮機（53）の運転容量が増加し、圧縮機構の回転速度を低下させると圧縮機（53）の運転容量が減少する。
【００６５】
《第１冷凍サイクル動作》
第１冷凍サイクル動作では、圧縮機（53）が駆動状態に設定され、四方切換弁（54）が第１状態（図６の実線で示された状態）に設定され、電動膨張弁（55）の開度が調節される。これにより、冷媒回路（50）では、第１吸着熱交換器（51）が凝縮器となり、第２吸着熱交換器（52）が蒸発器となる。凝縮器となっている第１吸着熱交換器（51）では、冷媒の放熱により吸着剤が加熱され、吸着剤の水分が空気中に放出されて吸着剤が再生される。一方、蒸発器となっている第２吸着熱交換器（52）では、冷媒の吸熱により吸着剤が冷却され、空気中の水分が吸着剤に吸着され、その吸着による生じた吸着熱が冷媒に吸収される。
【００６６】
《第２冷凍サイクル動作》
第２冷凍サイクル動作では、圧縮機（53）が駆動状態に設定され、四方切換弁（54）が第２状態（図６の破線で示された状態）に設定され、電動膨張弁（55）の開度が調節される。これにより、冷媒回路（50）では、第１吸着熱交換器（51）が蒸発器となり、第２吸着熱交換器（52）が凝縮器となる。蒸発器となっている第１吸着熱交換器（51）では、冷媒の吸熱により吸着剤が冷却され、空気中の水分が吸着剤に吸着され、その吸着による生じた吸着熱が冷媒に吸収される。一方、凝縮器となっている第２吸着熱交換器（52）では、冷媒の放熱により吸着剤が加熱され、吸着剤の水分が空気中に放出されて吸着剤が再生される。
【００６７】
《吸着熱交換器を通過する空気》
上記のように、凝縮器となっている吸着熱交換器（51,52）を通過する空気は、吸着熱交換器（51,52）の吸着剤から水分を付与されて湿度が上昇する。一方、蒸発器となっている吸着熱交換器（51,52）を通過する空気は、吸着熱交換器（51,52）の吸着剤に水分を奪われて湿度が低下する。
【００６８】
なお、四方切換弁（54）の状態（第１および第２状態）と吸着熱交換器（51,52）の状態（凝縮器と蒸発器）との対応関係は、図７に示すとおりである。
【００６９】
《各種センサ》
また、冷媒回路（50）には、吐出圧力センサ（61）や吸入圧力センサ（62）や吐出温度センサ（63）や吸入温度センサ（64）などの各種センサが設けられている。吐出圧力センサ（61）は、圧縮機（53）から吐出された吐出冷媒（高圧冷媒）の圧力を検出する。吸入圧力センサ（62）は、圧縮機（53）に吸入される吸入冷媒（低圧冷媒）の圧力を検出する。吐出温度センサ（63）は、圧縮機（53）から吐出される吐出冷媒の温度を検出する。吸入温度センサ（64）は、圧縮機（53）に吸入される吸入冷媒の温度を検出する。
【００７０】
〈コントローラ〉
コントローラ（95）には、各種センサ（例えば、内気温度センサ（91），内気湿度センサ（92），外気温度センサ（93），外気湿度センサ（94），吐出圧力センサ（61），吸入圧力センサ（62），吐出温度センサ（63），吸入温度センサ（64）など）の検出値が入力される。そして、コントローラ（95）は、入力されたこれらの検出値や信号に基づいて、調湿装置（10）の流路切換機構（40）や冷媒回路（50）を制御する。具体的には、コントローラ（95）は、ダンパ（41〜48,83,84）と、ファン（25,26）と、圧縮機（53）と、電動膨張弁（55）と、四方切換弁（54）を制御する。
【００７１】
この例では、コントローラ（95）は、調湿装置（10）において通常調湿運転（第１調湿運転）とバイパス調湿運転（第２調湿運転）とが選択的に行われるように、冷媒回路（50）と流路切換機構（40）とを制御する。
【００７２】
〈通常調湿運転（第１調湿運転）〉
通常調湿運転は、第１および第２バイパス通路（81,82）を利用せずに室内の湿度調節を行う運転のことであり、室内の除湿を行う通常除湿運転と、室内の加湿を行う通常加湿運転とを含んでいる。
【００７３】
通常調湿運転では、給気ファン（26）と排気ファン（25）が駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【００７４】
また、通常調湿運転では、第１および第２バイパス通路（81,82）が閉鎖され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）を通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【００７５】
《通常調湿運転の第１動作》
図８に示すように、通常調湿運転の第１動作では、ケーシング（11）内における空気の流路が第１経路に設定される。また、冷媒回路（50）において冷凍サイクル動作が行われる。具体的には、通常除湿運転では、冷媒回路（50）において第２冷凍サイクル動作が行われ、通常加湿運転では、冷媒回路（50）において第１冷凍サイクル動作が行われる。
【００７６】
外気吸込口（24）を通過して外気側通路（34）に取り込まれた室外空気（OA）は、第１外気側ダンパ（43）を通過して第１調湿室（37）に流入し、第１調湿室（37）において第１吸着熱交換器（51）を通過して調湿（除湿または加湿）される。具体的には、通常除湿運転では、室外空気（OA）が蒸発器となっている第１吸着熱交換器（51）を通過して除湿および冷却され、通常加湿運転では、室外空気（OA）が凝縮器となっている第１吸着熱交換器（51）を通過して加湿および加熱される。第１吸着熱交換器（51）において調湿された空気は、第１給気側ダンパ（45）と給気側通路（31）と給気ファン室（36）と給気口（22）とを順に通過して室内に供給される。
【００７７】
内気吸込口（23）を通過して内気側通路（32）に取り込まれた室内空気（RA）は、第２内気側ダンパ（42）を通過して第２調湿室（38）に流入し、第２調湿室（38）において第２吸着熱交換器（52）を通過して調湿（加湿または除湿）される。具体的には、通常除湿運転では、室内空気（RA）が凝縮器となっている第２吸着熱交換器（52）を通過して加湿および加熱され、通常加湿運転では、室内空気（RA）が蒸発器となっている第２吸着熱交換器（52）を通過して除湿および冷却される。第２吸着熱交換器（52）において調湿された空気は、第２排気側ダンパ（48）と排気側通路（33）と排気ファン室（35）と排気口（21）とを順に通過して室外に排出される。
【００７８】
《通常調湿運転の第２動作》
図９に示すように、通常調湿運転の第２動作では、ケーシング（11）内における空気の流路が第２経路に設定される。また、冷媒回路（50）において冷凍サイクル動作が行われる。具体的には、通常除湿運転では、冷媒回路（50）において第１冷凍サイクル動作が行われ、通常加湿運転では、冷媒回路（50）において第２冷凍サイクル動作が行われる。
【００７９】
外気吸込口（24）を通過して外気側通路（34）に取り込まれた室外空気（OA）は、第２外気側ダンパ（44）を通過して第２調湿室（38）に流入し、第２調湿室（38）において第２吸着熱交換器（52）を通過して調湿（除湿または加湿）される。具体的には、通常除湿運転では、室外空気（OA）が蒸発器となっている第２吸着熱交換器（52）を通過して除湿および冷却され、通常加湿運転では、室外空気（OA）が凝縮器となっている第２吸着熱交換器（52）を通過して加湿および加熱される。第２吸着熱交換器（52）において調湿された空気は、第２給気側ダンパ（46）と給気側通路（31）と給気ファン室（36）と給気口（22）とを順に通過して室内に供給される。
【００８０】
内気吸込口（23）を通過して内気側通路（32）に取り込まれた室内空気（RA）は、第１内気側ダンパ（41）を通過して第１調湿室（37）に流入し、第１調湿室（37）において第１吸着熱交換器（51）を通過して調湿（加湿または除湿）される。具体的には、通常除湿運転では、室内空気（RA）が凝縮器となっている第１吸着熱交換器（51）を通過して加湿および加熱され、通常加湿運転では、室内空気（RA）が蒸発器となっている第１吸着熱交換器（51）を通過して除湿および冷却される。第２吸着熱交換器（52）において調湿された空気は、第１排気側ダンパ（47）と排気側通路（33）と排気ファン室（35）と排気口（21）とを順に通過して室外に排出される。
【００８１】
〈バイパス調湿運転（第２調湿運転）〉
バイパス調湿運転は、第１および第２バイパス通路（81,82）を利用して室内の湿度調節を行う運転のことであり、室内の除湿を行うバイパス除湿運転と、室内の加湿を行うバイパス加湿運転とを含んでいる。
【００８２】
バイパス調湿運転では、給気ファン（26）と排気ファン（25）とが駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【００８３】
また、バイパス調湿運転では、第１および第２バイパス通路（81,82）が開通され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）と第１および第２バイパス通路（81,82）の一方（この例では、常に第１バイパス通路（81））とを通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）と第１および第２バイパス通路（81,82）の他方（この例では、常に第２バイパス通路（82））とを通過して室外に排出されるように、ケーシング（11）内における空気の流路が切り換えられる。具体的には、次の第１動作と第２動作とが３分間ずつ交互に繰り返し行われる。
【００８４】
《バイパス調湿運転の第１動作》
図１０に示すように、バイパス調湿運転の第１動作では、流路切換機構（40）がケーシング（11）内における空気の流路を第３経路に設定する。また、冷媒回路（50）において冷凍サイクル動作が行われる。具体的には、バイパス除湿運転では、冷媒回路（50）において第２冷凍サイクル動作が行われ、バイパス加湿運転では、冷媒回路（50）において第１冷凍サイクル動作が行われる。
【００８５】
外気吸込口（24）を通過して外気側通路（34）に取り込まれた室外空気（OA）は、その一部が第１外気側ダンパ（43）を通過して第１調湿室（37）に流入し、その残部が第１バイパス通路（81）を通過して給気ファン室（36）に流入する。第１調湿室（37）に流入した室外空気（OA）は、第１調湿室（37）において第１吸着熱交換器（51）を通過して調湿（除湿または加湿）される。具体的には、バイパス除湿運転では、室外空気（OA）が蒸発器となっている第１吸着熱交換器（51）を通過して除湿および冷却され、バイパス加湿運転では、室外空気（OA）が凝縮器となっている第１吸着熱交換器（51）を通過して加湿および加熱される。第１吸着熱交換器（51）において調湿された空気は、第１給気側ダンパ（45）と給気側通路（31）とを順に通過して給気ファン室（36）に流入し、給気ファン室（36）において第１バイパス通路（81）を通過した空気と合流し、その後、給気口（22）を通過して室内に供給される。
【００８６】
内気吸込口（23）を通過して内気側通路（32）に取り込まれた室内空気（RA）は、その一部が第２内気側ダンパ（42）を通過して第２調湿室（38）に流入し、その残部が第２バイパス通路（82）を通過して給気ファン室（36）に流入する。第２調湿室（38）に流入した室内空気（RA）は、第２調湿室（38）において第２吸着熱交換器（52）を通過して調湿（加湿または除湿）される。具体的には、バイパス除湿運転では、室内空気（RA）が凝縮器となっている第２吸着熱交換器（52）を通過して加湿および加熱され、バイパス加湿運転では、室内空気（RA）が蒸発器となっている第２吸着熱交換器（52）を通過して除湿および冷却される。第２吸着熱交換器（52）において調湿された空気は、第２排気側ダンパ（48）と排気側通路（33）とを順に通過して排気ファン室（35）に流入し、排気ファン室（35）において第２バイパス通路（82）を通過した空気と合流し、その後、排気口（21）を通過して室外に排出される。
【００８７】
《バイパス調湿運転の第２動作》
図１１に示すように、バイパス調湿運転の第２動作では、流路切換機構（40）がケーシング（11）内における空気の流路を第４経路に設定する。また、冷媒回路（50）において冷凍サイクル動作が行われる。具体的には、バイパス除湿運転では、冷媒回路（50）において第１冷凍サイクル動作が行われ、バイパス加湿運転では、冷媒回路（50）において第２冷凍サイクル動作が行われる。
【００８８】
外気吸込口（24）を通過して外気側通路（34）に取り込まれた室外空気（OA）は、その一部が第２外気側ダンパ（44）を通過して第２調湿室（38）に流入し、その残部が第１バイパス通路（81）を通過して給気ファン室（36）に流入する。第２調湿室（38）に流入した室外空気（OA）は、第２調湿室（38）において第２吸着熱交換器（52）を通過して調湿（除湿または加湿）される。具体的には、バイパス除湿運転では、室外空気（OA）が蒸発器となっている第２吸着熱交換器（52）を通過して除湿および冷却され、バイパス加湿運転では、室外空気（OA）が凝縮器となっている第２吸着熱交換器（52）を通過して加湿および加熱される。第２吸着熱交換器（52）において調湿された空気は、第２給気側ダンパ（46）と給気側通路（31）とを順に通過して給気ファン室（36）に流入し、給気ファン室（36）において第１バイパス通路（81）を通過した空気と合流し、その後、給気口（22）を通過して室内に供給される。
【００８９】
内気吸込口（23）を通過して内気側通路（32）に取り込まれた室内空気（RA）は、その一部が第１内気側ダンパ（41）を通過して第１調湿室（37）に流入し、その残部が第２バイパス通路（82）を通過して給気ファン室（36）に流入する。第１調湿室（37）に流入した室内空気（RA）は、第１調湿室（37）において第１吸着熱交換器（51）を通過して調湿（加湿または除湿）される。具体的には、バイパス除湿運転では、室内空気（RA）が凝縮器となっている第１吸着熱交換器（51）を通過して加湿および加熱され、バイパス加湿運転では、室内空気（RA）が蒸発器となっている第１吸着熱交換器（51）を通過して除湿および冷却される。第１吸着熱交換器（51）において調湿された空気は、第１排気側ダンパ（47）と排気側通路（33）とを順に通過して排気ファン室（35）に流入し、排気ファン室（35）において第２バイパス通路（82）を通過した空気と合流し、その後、排気口（21）を通過して室外に排出される。
【００９０】
なお、調湿運転（通常調湿運転とバイパス調湿運転）の動作と空気の経路（第１〜第４経路）と冷媒回路（50）の冷凍サイクル動作（第１および第２冷凍サイクル動作）と運転状態（加湿運転と除湿運転）との対応関係は、図１２に示すとおりである。
【００９１】
〈運転モードの切り換え〉
次に、図１３および図１４を参照して、調湿装置（10）における運転モードの切り換えについて説明する。図１４において、第１能力特性曲線（L1）は、通常調湿運転（第１調湿運転）における圧縮機（53）の運転容量と調湿装置（10）の調湿能力との関係を示している。第２能力特性曲線（L2）は、バイパス調湿運転（第２調湿運転）における圧縮機（53）の運転容量と調湿装置（10）の調湿能力との関係を示している。
【００９２】
コントローラ（95）は、室内の調湿負荷（すなわち、室内空気（RA）の湿度と予め定められた目標湿度との差）に応じて圧縮機（53）の目標運転容量（Ctg）を設定する。具体的には、コントローラ（95）は、室内の調湿負荷が高くなるほど圧縮機（53）の目標運転容量（Ctg）が高くなるように、室内の調湿負荷に応じて目標運転容量（Ctg）を設定する。
【００９３】
そして、図１３に示すように、コントローラ（95）は、通常調湿運転が行われている場合に圧縮機（53）の目標運転容量（Ctg）が予め定められた下限運転容量（CL）を下回ると、通常調湿運転からバイパス調湿運転に切り換わるように冷媒回路（50）と流路切換機構（40）を制御する。
【００９４】
通常調湿運転における下限運転容量（CL）は、圧縮機（53）の最小運転容量（Cmin）以上であり且つ第１運転容量以下である運転容量に設定されている。第１運転容量は、通常調湿運転において調湿装置（10）の調湿能力がバイパス調湿運転における調湿装置（10）の調湿能力の最大値（すなわち、バイパス調湿運転において圧縮機（53）の運転容量が最大運転容量（Cmax）となるときの調湿装置（10）の調湿能力）と等しくなるときの圧縮機（53）の運転容量に相当する。なお、バイパス調湿運転における調湿装置（10）の調湿能力は、バイパス調湿運転において吸着熱交換器（51,52）を通過する空気の流量と圧縮機（53）の運転容量とに基づいて推定することが可能である。
【００９５】
また、図１３に示すように、コントローラ（95）は、バイパス調湿運転が行われている場合に圧縮機（53）の目標運転容量（Ctg）が予め定められた上限運転容量（CH）を上回ると、バイパス調湿運転から通常調湿運転に切り換わるように冷媒回路（50）と流路切換機構（40）を制御する。
【００９６】
バイパス調湿運転における上限運転容量（CH）は、第２運転容量以上であり且つ圧縮機（53）の最大運転容量（Cmax）以下である運転容量に設定されている。第２運転容量は、バイパス調湿運転において調湿装置（10）の調湿能力が通常調湿運転における調湿装置（10）の調湿能力の最小値（すなわち、通常調湿運転において圧縮機（53）の運転容量が最小運転容量（Cmin）となるときの調湿装置（10）の調湿能力）と等しくなるときの圧縮機（53）の運転容量に相当する。なお、通常調湿運転における調湿装置（10）の調湿能力は、通常調湿運転において吸着熱交換器（51,52）を通過する空気の流量と圧縮機（53）の運転容量とに基づいて推定することが可能である。
【００９７】
図１４の例では、下限運転容量（CL）は、圧縮機（53）の最小運転容量（Cmin）に設定され、上限運転容量（CH）は、圧縮機（53）の最大運転容量（Cmax）に設定されている。また、通常調湿運転において圧縮機（53）の運転容量が下限運転容量（CL）となる場合に対応する第１調湿能力は、バイパス調湿運転において圧縮機（53）の運転容量が上限運転容量（CH）となる場合に対応する第２調湿能力よりも低くなっている。
【００９８】
〈調湿能力の調節幅〉
次に、図１４を参照して、調湿装置（10）の調湿能力の調節幅（調節可能範囲の幅）について説明する。図１４において、調節幅（W1）は、通常調湿運転における調湿装置（10）の調湿能力の調節幅を示している。調節幅（W2）は、バイパス調湿運転における調湿装置（10）の調湿能力の調節幅を示している。調湿幅（W3）は、通常調湿運転とバイパス調湿運転とを切り換えて行う場合の調湿装置（10）の調湿能力の調節幅を示している。
【００９９】
調湿運転の調湿能力は、圧縮機（53）の運転容量と第１および第２吸着熱交換器（51,52）を通過する空気の流量（以下「吸着熱交換器（51,52）の通過風量」と記載）とに依存している。すなわち、圧縮機（53）の運転容量が高くなるに連れて調湿装置（10）の調湿能力が高くなる傾向にあり、吸着熱交換器（51,52）の通過風量が多くなるに連れて調湿装置（10）の調湿能力が高くなる傾向にある。
【０１００】
また、バイパス調湿運転では、室外空気（OA）が吸着熱交換器（51,52）と第１バイパス通路（81）とに分流し、室内空気（RA）が吸着熱交換器（51,52）と第２バイパス通路（82）とに分流するので、バイパス調湿運転における吸着熱交換器（51,52）の通過風量は、通常調湿運転における吸着熱交換器（51,52）の通過風量よりも少なくなる。
【０１０１】
したがって、通常調湿運転からバイパス調湿運転に切り換えることにより、吸着熱交換器（51,52）の通過風量を減少させて調湿装置（10）の調湿能力の調節可能範囲を負側（低い側）にシフトさせることができる。逆に、バイパス調湿運転から通常調湿運転に切り換えることにより、吸着熱交換器（51,52）の通過風量を増加させて調湿装置（10）の調湿能力の調節可能範囲を正側（高い側）にシフトさせることができる。
【０１０２】
〈実施形態１による効果〉
以上のように、通常調湿運転とバイパス調湿運転とを切り換えることにより、調湿装置（10）の調湿能力の調節可能範囲をシフトさせることができる。具体的には、通常調湿運転において圧縮機（53）の目標運転容量（Ctg）が下限運転容量（CL）を下回る場合に通常調湿運転からバイパス調湿運転に切り換えることにより、調湿装置（10）の調湿能力を負側に調節する余裕がなくなりそうな場合に調湿装置（10）の調湿能力の調節可能範囲を負側にシフトさせることができる。また、バイパス調湿運転において圧縮機（53）の目標運転容量（Ctg）が上限運転容量（CH）を上回る場合にバイパス調湿運転から通常調湿運転に切り換えることにより、調湿装置（10）の調湿能力を正側に調節する余裕がなくなりそうな場合に調湿装置（10）の調湿能力の調節可能範囲を正側にシフトさせることができる。
【０１０３】
このように、通常調湿運転とバイパス調湿運転とを切り換えることにより、調湿装置（10）の調湿能力の調節可能範囲をシフトさせることができるので、通常調湿運転のみを行う場合よりも、調湿装置（10）の調湿能力の調節幅（調節可能範囲の幅）を拡張することができる。
【０１０４】
また、第１調湿能力（通常調湿運転において圧縮機（53）の運転容量が下限運転容量（CL）となる場合に対応する調湿装置（10）の調湿能力）が第２調湿能力（バイパス調湿運転において圧縮機（53）の運転容量が上限運転容量（CH）となる場合に対応する調湿装置（10）の調湿能力）よりも低くなるように、下限運転容量（CL）と上限運転容量（CH）とを設定することにより、通常調湿運転からバイパス調湿運転に切り換えられた直後に圧縮機（53）の運転容量が上限運転容量（CH）を上回ってバイパス調湿運転から通常調湿運転に戻ってしまうことを防止することができる。また、バイパス調湿運転から通常調湿運転に切り換えられた直後に圧縮機（53）の運転容量が下限運転容量（CL）を下回って通常調湿運転からバイパス調湿運転に戻ってしまうことを防止することができる。これにより、通常調湿運転とバイパス調湿運転との切り換えが頻発する現象（いわゆるハンチング）の発生を防止することができる。
【０１０５】
なお、室内の湿度調節のために調湿装置（10）の調湿能力の調節可能範囲よりも低い調湿能力が要求される場合（すなわち、室内の調湿負荷が比較的に低負荷となる場合）、調湿装置（10）において圧縮機（53）の発停を繰り返し行うことになる。また、圧縮機（53）の発停の繰り返し頻度が高くなるほど、調湿装置（10）における消費電力が高くなる傾向にある。また、圧縮機（53）を停止状態から駆動状態に切り換える（すなわち、圧縮機（53）を起動する）場合、冷媒回路（50）における高低圧差を確保するために、給気ファン（26）および排気ファン（25）を停止状態に設定することが好ましい。しかしながら、給気ファン（26）および排気ファン（25）を停止させると室内の換気が停止してしまうので、室内の換気量が低下してしまう。
【０１０６】
この実施形態による調湿装置（10）では、調湿装置（10）の調湿能力の調節幅を拡張することができる（特に、通常調湿運転のみを行う場合よりも調湿装置（10）の調湿能力の調節可能範囲を負側に拡張することができる）ので、圧縮機（53）の発停の繰り返し頻度を低減することができる。そのため、通常調湿運転のみを行う場合よりも、調湿装置（10）における消費電力を低減することができる。また、圧縮機（53）の発停の繰り返し頻度を低減することができるので、圧縮機（53）の起動動作に伴う給気ファン（26）および排気ファン（25）の停止による室内の換気量の低下を抑制することができる。
【０１０７】
（実施形態１の変形例）
なお、実施形態１による調湿装置（10）において、コントローラ（95）は、次のように構成されていてもよい。すなわち、コントローラ（95）は、バイパス調湿運転（第２調湿運転）が行われている場合に、予め定められた結露保護条件が成立すると、バイパス調湿運転が終了するように（例えば、バイパス調湿運転から通常調湿運転に切り換わるように）冷媒回路（50）と流路切換機構（40）とを制御してもよい。
【０１０８】
結露保護条件は、第１および第２調湿室（37,38）と第１および第２バイパス通路（81,82）とのうち少なくとも１つにおける結露の発生を防止するために予め定められた条件である。例えば、結露保護条件には、蒸発器となっている吸着熱交換器（51,52）における冷媒の蒸発温度が吸着熱交換器（51,52）の結露保護温度を下回るという条件（すなわち、調湿室（37,38）における結露の発生を防止するための条件）が含まれている。なお、吸着熱交換器（51,52）の結露保護温度は、蒸発器となっている吸着熱交換器（51,52）において結露が発生する可能性が高いとみなせる温度（具体的には、室外空気（OA）の露点温度よりも僅かに高い温度）に設定されている。
【０１０９】
また、結露保護条件には、室内空気（RA）の温度が室外空気（OA）を通過させるバイパス通路（この例では第１バイパス通路（81））および調湿室（37,38）の結露保護温度を下回るという条件（すなわち、室外空気（OA）を通過させるバイパス通路および調湿室（37,38）における結露の発生を防止するための条件）が含まれていてもよい。なお、室外空気（OA）を通過させるバイパス通路および調湿室（37,38）の結露保護温度は、室外空気（OA）を通過させるバイパス通路および調湿室（37,38）において結露が発生する可能性が高いとみなせる温度（具体的には、室外空気（OA）の露点温度よりも僅かに高い温度）に設定されている。
【０１１０】
以上のような制御により、バイパス調湿運転において結露保護条件が成立する場合に第２調湿運転を終了させることができる。これにより、第１および第２調湿室（37,38）と第１および第２バイパス通路（81,82）とのうち少なくとも１つにおける結露の発生を防止することができる。
【０１１１】
（実施形態２）
図１５は、実施形態２による調湿装置（10）の構成例を示している。実施形態１による調湿装置（10）と同様に、実施形態２による調湿装置（10）は、ケーシング（11）と、冷媒回路（50）と、流路切換機構（40）と、コントローラ（95）とを備えている。
【０１１２】
なお、実施形態２による調湿装置（10）は、バイパス通路（80）と流路切換機構（40）の構成が実施形態１による調湿装置（10）と異なっている。実施形態２による調湿装置（10）では、バイパス通路（80）は、第１バイパス通路（81）によって構成され、流路切換機構（40）は、八つのダンパ（41〜48）と第１バイパス用ダンパ（83）によって構成されている。すなわち、実施形態２による調湿装置（10）では、図１〜図４に示した第２バイパス通路（82）と第２バイパス用ダンパ（84）が省略されている。その他の構成は、実施形態１による調湿装置（10）の構成と同様となっている。
【０１１３】
〈ケーシング〉
実施形態２では、実施形態１とは異なり、ケーシング（11）には、図１〜図４に示した第２仕切板（75）と仕切板（79）が設けられておらず、上流側仕切板（71）の左端部および下流側仕切板（72）の左端部は、第２側面パネル部（15）に接続されている。その他の構成は、実施形態１のケーシング（11）の構成と同様となっている。
【０１１４】
〈流路切換機構〉
実施形態２では、実施形態１と同様に、流路切換機構（40）は、ケーシング（11）内における空気の流路を切り換えるように構成されている。具体的には、流路切換機構（40）は、八つのダンパ（41〜48）とバイパス用ダンパ（83）をそれぞれ開閉させることで、ケーシング（11）内における空気の流路を第１経路（図１７）と第２経路（図１８）と第３経路（図１９）と第４経路（図２０）とに切り換える。なお、図１７〜図２０では、閉状態となっているダンパにはハッチングが付されている。
【０１１５】
《第１経路》
第１経路（図１７）を形成する場合、第１バイパス用ダンパ（83）が閉状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１バイパス通路（81）が閉鎖され、ケーシング（11）内に取り込まれた室外空気（OA）が第１吸着熱交換器（51）を通過して室内に供給され、ケーシング（11）内に取り込まれた室内空気（RA）が第２吸着熱交換器（52）を通過して室外に排出される。
【０１１６】
《第２経路》
第２経路（図１８）を形成する場合、第１バイパス用ダンパ（83）が閉状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１バイパス通路（81）が閉鎖され、ケーシング（11）内に取り込まれた室外空気（OA）が第２吸着熱交換器（52）を通過して室内に供給され、ケーシング（11）内に取り込まれた室内空気（RA）が第１吸着熱交換器（51）を通過して室外に排出される。
【０１１７】
《第３経路》
第３経路（図１９）を形成する場合、第１バイパス用ダンパ（83）が開状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１バイパス通路（81）が開通し、ケーシング（11）内に取り込まれた室外空気（OA）が第１吸着熱交換器（51）と第１バイパス通路（81）とを通過して室内に供給され、ケーシング（11）内に取り込まれた室内空気（RA）が第２吸着熱交換器（52）を通過して室外に排出される。
【０１１８】
《第４経路》
第４経路（図２０）を形成する場合、第１バイパス用ダンパ（83）が開状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１バイパス通路（81）が開通し、ケーシング（11）内に取り込まれた室外空気（OA）が第２吸着熱交換器（52）と第１バイパス通路（81）とを通過して室内に供給され、ケーシング（11）内に取り込まれた室内空気（RA）が第１吸着熱交換器（51）を通過して室外に排出される。
【０１１９】
なお、空気の経路（第１〜第４経路）とダンパ（41〜48,83）の開閉と吸着熱交換器（51,52）を通過する空気の種類（室外空気（OA）と室内空気（RA））との対応関係は、図１６に示すとおりである。
【０１２０】
〈コントローラ〉
実施形態２では、実施形態１と同様に、コントローラ（95）は、入力されたこれらの検出値や信号に基づいて、調湿装置（10）の流路切換機構（40）や冷媒回路（50）を制御する。具体的には、コントローラ（95）は、ダンパ（41〜48,83）と、ファン（25,26）と、圧縮機（53）と、電動膨張弁（55）と、四方切換弁（54）を制御する。
【０１２１】
また、実施形態２では、実施形態１と同様に、コントローラ（95）は、調湿装置（10）において通常調湿運転（第１調湿運転）とバイパス調湿運転（第２調湿運転）とが選択的に行われるように、冷媒回路（50）と流路切換機構（40）とを制御する。
【０１２２】
〈通常調湿運転（第１調湿運転）〉
通常調湿運転は、第１バイパス通路（81）を利用せずに室内の湿度調節を行う運転のことであり、室内の除湿を行う通常除湿運転と、室内の加湿を行う通常加湿運転とを含んでいる。
【０１２３】
通常調湿運転では、給気ファン（26）と排気ファン（25）が駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【０１２４】
また、通常調湿運転では、第１バイパス通路（81）が閉鎖され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）を通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【０１２５】
《通常調湿運転の第１動作》
図１７に示すように、通常調湿運転の第１動作では、ケーシング（11）内における空気の流路が第１経路に設定される。また、冷媒回路（50）において冷凍サイクル動作が行われる。具体的には、通常除湿運転では、冷媒回路（50）において第２冷凍サイクル動作が行われ、通常加湿運転では、冷媒回路（50）において第１冷凍サイクル動作が行われる。なお、実施形態２の通常調湿運転の第１動作における室外空気（OA）および室内空気（RA）の流れは、実施形態１の通常調湿運転の第１動作における室外空気（OA）および室内空気（RA）の流れ（図８参照）と同様となっている。
【０１２６】
《通常調湿運転の第２動作》
図１８に示すように、通常調湿運転の第２動作では、ケーシング（11）内における空気の流路が第２経路に設定される。また、冷媒回路（50）において冷凍サイクル動作が行われる。具体的には、通常除湿運転では、冷媒回路（50）において第１冷凍サイクル動作が行われ、通常加湿運転では、冷媒回路（50）において第２冷凍サイクル動作が行われる。なお、実施形態２の通常調湿運転の第２動作における室外空気（OA）および室内空気（RA）の流れは、実施形態１の通常調湿運転の第２動作における室外空気（OA）および室内空気（RA）の流れ（図９参照）と同様となっている。
【０１２７】
〈バイパス調湿運転（第２調湿運転）〉
バイパス調湿運転は、第１バイパス通路（81）を利用して室内の湿度調節を行う運転のことであり、室内の除湿を行うバイパス除湿運転と、室内の加湿を行うバイパス加湿運転とを含んでいる。
【０１２８】
バイパス調湿運転では、給気ファン（26）と排気ファン（25）とが駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【０１２９】
また、バイパス調湿運転では、第１バイパス通路（81）が開通され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）と第１バイパス通路（81）とを通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【０１３０】
《バイパス調湿運転の第１動作》
図１９に示すように、バイパス調湿運転の第１動作では、流路切換機構（40）がケーシング（11）内における空気の流路を第３経路に設定する。また、冷媒回路（50）において冷凍サイクル動作が行われる。具体的には、バイパス除湿運転では、冷媒回路（50）において第２冷凍サイクル動作が行われ、バイパス加湿運転では、冷媒回路（50）において第１冷凍サイクル動作が行われる。なお、実施形態２のバイパス調湿運転の第１動作における室外空気（OA）の流れは、実施形態１のバイパス調湿運転の第１動作における室外空気（OA）の流れ（図１０参照）と同様となっている。
【０１３１】
内気吸込口（23）を通過して内気側通路（32）に取り込まれた室内空気（RA）は、第２内気側ダンパ（42）を通過して第２調湿室（38）に流入する。第２調湿室（38）に流入した室内空気（RA）は、第２調湿室（38）において第２吸着熱交換器（52）を通過して調湿（加湿または除湿）される。第２吸着熱交換器（52）において調湿された空気は、第２排気側ダンパ（48）と排気側通路（33）とを順に通過して排気ファン室（35）に流入し、その後、排気口（21）を通過して室外に排出される。
【０１３２】
《バイパス調湿運転の第２動作》
図２０に示すように、バイパス調湿運転の第２動作では、流路切換機構（40）がケーシング（11）内における空気の流路を第４経路に設定する。また、冷媒回路（50）において冷凍サイクル動作が行われる。具体的には、バイパス除湿運転では、冷媒回路（50）において第１冷凍サイクル動作が行われ、バイパス加湿運転では、冷媒回路（50）において第２冷凍サイクル動作が行われる。なお、実施形態２のバイパス調湿運転の第２動作における室外空気（OA）の流れは、実施形態１のバイパス調湿運転の第２動作における室外空気（OA）の流れ（図１１参照）と同様となっている。
【０１３３】
内気吸込口（23）を通過して内気側通路（32）に取り込まれた室内空気（RA）は、第１内気側ダンパ（41）を通過して第１調湿室（37）に流入する。第１調湿室（37）に流入した室内空気（RA）は、第１調湿室（37）において第１吸着熱交換器（51）を通過して調湿（加湿または除湿）される。第１吸着熱交換器（51）において調湿された空気は、第１排気側ダンパ（47）と排気側通路（33）とを順に通過して排気ファン室（35）に流入し、その後、排気口（21）を通過して室外に排出される。
【０１３４】
なお、調湿運転（通常調湿運転とバイパス調湿運転）の動作と空気の経路（第１〜第４経路）と冷媒回路（50）の冷凍サイクル動作（第１および第２冷凍サイクル動作）と運転状態（加湿運転と除湿運転）との対応関係は、実施形態１と同様、図１２に示すとおりである。
【０１３５】
〈運転モードの切り換え〉
また、実施形態２の調湿装置（10）における運転モードの切り換えは、実施形態１の調湿装置（10）における運転モードの切り換えと同様となっている。具体的には、実施形態１と同様に、実施形態２では、コントローラ（95）は、室内の調湿負荷（すなわち、室内空気（RA）の湿度と予め定められた目標湿度との差）に応じて圧縮機（53）の目標運転容量（Ctg）を設定する。そして、図１３に示すように、コントローラ（95）は、通常調湿運転が行われている場合に圧縮機（53）の目標運転容量（Ctg）が予め定められた下限運転容量（CL）を下回ると、通常調湿運転からバイパス調湿運転に切り換わるように冷媒回路（50）と流路切換機構（40）を制御する。また、図１３に示すように、コントローラ（95）は、バイパス調湿運転が行われている場合に圧縮機（53）の目標運転容量（Ctg）が予め定められた上限運転容量（CH）を上回ると、バイパス調湿運転から通常調湿運転に切り換わるように冷媒回路（50）と流路切換機構（40）を制御する。
【０１３６】
〈調湿能力の調節幅〉
また、実施形態１と同様に、実施形態２において、通常調湿運転（第１調湿運転）における圧縮機（53）の運転容量と調湿装置（10）の調湿能力との関係は、図１４に示した第１能力特性曲線（L1）のようになり、バイパス調湿運転（第２調湿運転）における圧縮機（53）の運転容量と調湿装置（10）の調湿能力との関係は、図１４に示した第２能力特性曲線（L2）のようになる。また、通常調湿運転における調湿装置（10）の調湿能力の調節幅は、図１４に示した調節幅（W1）のようになり、バイパス調湿運転における調湿装置（10）の調湿能力の調節幅は、図１４に示した調節幅（W2）のようになり、通常調湿運転とバイパス調湿運転とを切り換えて行う場合の調湿装置（10）の調湿能力の調節幅は、調湿幅（W3）のようになる。
【０１３７】
調湿運転の調湿能力は、圧縮機（53）の運転容量と第１および第２吸着熱交換器（51,52）を通過する空気の流量（特に吸着熱交換器（51,52）を通過する室外空気（OA）の風量）とに依存している。すなわち、圧縮機（53）の運転容量が高くなるに連れて調湿装置（10）の調湿能力が高くなる傾向にあり、吸着熱交換器（51,52）を通過する室外空気（OA）の風量が多くなるに連れて調湿装置（10）の調湿能力が高くなる傾向にある。
【０１３８】
また、バイパス調湿運転では、室外空気（OA）が吸着熱交換器（51,52）と第１バイパス通路（81）とに分流するので、バイパス調湿運転において吸着熱交換器（51,52）を通過する室外空気（OA）の風量は、通常調湿運転において吸着熱交換器（51,52）を通過する室外空気（OA）の風量よりも少なくなる。
【０１３９】
したがって、通常調湿運転からバイパス調湿運転に切り換えることにより、吸着熱交換器（51,52）を通過する室外空気（OA）の風量を減少させて調湿装置（10）の調湿能力の調節可能範囲を負側（低い側）にシフトさせることができる。逆に、バイパス調湿運転から通常調湿運転に切り換えることにより、吸着熱交換器（51,52）を通過する室外空気（OA）の風量を増加させて調湿装置（10）の調湿能力の調節可能範囲を正側（高い側）にシフトさせることができる。
【０１４０】
〈実施形態２による効果〉
以上のように、通常調湿運転とバイパス調湿運転とを切り換えることにより、調湿装置（10）の調湿能力の調節可能範囲をシフトさせることができる。具体的には、通常調湿運転において圧縮機（53）の目標運転容量（Ctg）が下限運転容量（CL）を下回る場合に通常調湿運転からバイパス調湿運転に切り換えることにより、調湿装置（10）の調湿能力を負側に調節する余裕がなくなりそうな場合に調湿装置（10）の調湿能力の調節可能範囲を負側にシフトさせることができる。また、バイパス調湿運転において圧縮機（53）の目標運転容量（Ctg）が上限運転容量（CH）を上回る場合にバイパス調湿運転から通常調湿運転に切り換えることにより、調湿装置（10）の調湿能力を正側に調節する余裕がなくなりそうな場合に調湿装置（10）の調湿能力の調節可能範囲を正側にシフトさせることができる。
【０１４１】
このように、通常調湿運転とバイパス調湿運転とを切り換えることにより、調湿装置（10）の調湿能力の調節可能範囲をシフトさせることができるので、通常調湿運転のみを行う場合よりも、調湿装置（10）の調湿能力の調節幅（調節可能範囲の幅）を拡張することができる。
【０１４２】
また、第１調湿能力（通常調湿運転において圧縮機（53）の運転容量が下限運転容量（CL）となる場合に対応する調湿装置（10）の調湿能力）が第２調湿能力（バイパス調湿運転において圧縮機（53）の運転容量が上限運転容量（CH）となる場合に対応する調湿装置（10）の調湿能力）よりも低くなるように、下限運転容量（CL）と上限運転容量（CH）とを設定することにより、通常調湿運転からバイパス調湿運転に切り換えられた直後に圧縮機（53）の運転容量が上限運転容量（CH）を上回ってバイパス調湿運転から通常調湿運転に戻ってしまうことを防止することができる。また、バイパス調湿運転から通常調湿運転に切り換えられた直後に圧縮機（53）の運転容量が下限運転容量（CL）を下回って通常調湿運転からバイパス調湿運転に戻ってしまうことを防止することができる。これにより、通常調湿運転とバイパス調湿運転との切り換えが頻発する現象（いわゆるハンチング）の発生を防止することができる。
【０１４３】
（実施形態２の変形例）
実施形態１の変形例と同様に、実施形態２による調湿装置（10）において、コントローラ（95）は、バイパス調湿運転（第２調湿運転）が行われている場合に、予め定められた結露保護条件が成立すると、バイパス調湿運転が終了するように（例えば、バイパス調湿運転から通常調湿運転に切り換わるように）冷媒回路（50）と流路切換機構（40）とを制御してもよい。なお、実施形態１の変形例と同様、上記の結露保護条件は、第１および第２調湿室（37,38）と第１バイパス通路（81）とのうち少なくとも１つにおける結露の発生を防止するために予め定められた条件である。
【０１４４】
以上のような制御により、バイパス調湿運転において結露保護条件が成立する場合に第２調湿運転を終了させることができる。これにより、第１および第２調湿室（37,38）と第１バイパス通路（81）とのうち少なくとも１つにおける結露の発生を防止することができる。
【０１４５】
（その他の実施形態）
以上の説明では、実施形態１において、バイパス調湿運転（第２調湿運転）においてケーシング（11）内に取り込まれた室外空気（OA）の一部が常に第１バイパス通路（81）を通過して室内に供給される一方で、ケーシング（11）内に取り込まれた室内空気（RA）の一部が常に第２バイパス通路（82）を通過して室外に排出されるように、流路切換機構（40）が構成されている場合を例に挙げたが、流路切換機構（40）は、次のように構成されていてもよい。すなわち、流路切換機構（40）は、ケーシング（11）内に取り込まれた室外空気（OA）の一部が第１バイパス通路（81）を通過して室内に供給される一方でケーシング（11）内に取り込まれた室内空気（RA）の一部が第２バイパス通路（82）を通過して室外に排出される第１バイパス状態と、ケーシング（11）内に取り込まれた室外空気（OA）の一部が第２バイパス通路（82）を通過して室内に供給される一方でケーシング（11）内に取り込まれた室内空気（RA）の一部が第１バイパス通路（81）を通過して室外に排出される第２バイパス状態とに交互に切り換えることができるように構成されていてもよい。このように構成した場合も、バイパス調湿運転（第２調湿運転）において、ケーシング（11）内に取り込まれた室外空気（OA）が第１および第２吸着熱交換器（51,52）の一方と第１および第２バイパス通路（81,82）の一方を通過して室内に供給され、ケーシング（11）内に取り込まれた室内空気（RA）が第１および第２吸着熱交換器（51,52）の他方と第１および第２バイパス通路（81,82）の他方とを通過して室外に排出される。
【０１４６】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０１４７】
以上説明したように、上述の調湿装置は、室内の湿度調節を行う調湿装置として有用である。
【符号の説明】
【０１４８】
１０          調湿装置
１１          ケーシング
３７          第１調湿室
３８          第２調湿室
４０          流路切換機構
５０          冷媒回路
５１          第１吸着熱交換器
５２          第２吸着熱交換器
５３          圧縮機
８０          バイパス通路
８１          第１バイパス通路
８２          第２バイパス通路
９５          コントローラ（制御部）
【図１】
2018004244.tif 000003
【図２】
2018004244.tif 000004
【図３】
2018004244.tif 000005
【図４】
2018004244.tif 000006
【図５】
2018004244.tif 000007
【図６】
2018004244.tif 000008
【図７】
2018004244.tif 000009
【図８】
2018004244.tif 000010
【図９】
2018004244.tif 000011
【図１０】
2018004244.tif 000012
【図１１】
2018004244.tif 000013
【図１２】
2018004244.tif 000014
【図１３】
2018004244.tif 000015
【図１４】
2018004244.tif 000016
【図１５】
2018004244.tif 000017
【図１６】
2018004244.tif 000018
【図１７】
2018004244.tif 000019
【図１８】
2018004244.tif 000020
【図１９】
2018004244.tif 000021
【図２０】
2018004244.tif 000022
【手続補正書】
【提出日】平成29年9月29日(2017.9.29)
【手続補正１】
【補正対象書類名】明細書
【補正対象項目名】全文
【補正方法】変更
【補正の内容】
【発明の詳細な説明】
【技術分野】
【０００１】
この発明は、調湿装置に関する。
【背景技術】
【０００２】
従来、室内の調湿（湿度調節）を行う調湿装置が知られている。例えば、特許文献１には、圧縮機と第１および第２吸着熱交換器とを有する冷媒回路を備え、第１および第２吸着熱交換器を用いて空気の調湿を行う調湿装置が記載されている。この調湿装置では、第１吸着熱交換器が蒸発器となり第２吸着熱交換器が凝縮器となる第１動作と、第１吸着熱交換器が凝縮器となり第２吸着熱交換器が蒸発器となる第２動作とが交互に行われる。そして、除湿運転では、室外空気が蒸発器となっている吸着熱交換器を通過して除湿されて室内に供給され、室内空気が凝縮器となっている吸着熱交換器を通過して加湿されて室外に排出される。一方、加湿運転では、室外空気が凝縮器となっている吸着熱交換器を通過して加湿されて室内に供給され、室内空気が蒸発器となっている吸着熱交換器を通過して除湿されて室外に排出される。
【先行技術文献】
【特許文献】
【０００３】
【特許文献１】特開２０１３−３６７３１号公報
【発明の概要】
【発明が解決しようとする課題】
【０００４】
特許文献１の調湿装置では、調湿運転（除湿運転/加湿運転）における調湿能力の調節幅（調節可能範囲の幅）は、圧縮機の運転容量の調節幅に依存している。すなわち、圧縮機の運転容量の調節幅が広くなるに連れて調湿能力の調節幅が広くなる傾向にある。しかしながら、圧縮機の運転容量の調節幅の拡張には限界があるので、調湿運転における調湿能力の調節幅を拡張することが困難であった。
【０００５】
そこで、この発明は、調湿能力の調節幅を拡張することが可能な調湿装置を提供することを目的とする。
【課題を解決するための手段】
【０００６】
第１の発明は、第１および第２調湿室（37,38）とバイパス通路（80）とが設けられたケーシング（11）と、圧縮機（53）と上記第１および第２調湿室（37,38）にそれぞれ設けられる第１および第２吸着熱交換器（51,52）とを有し、該第１および第２吸着熱交換器（51,52）を凝縮器と蒸発器とに切り換えることが可能な冷媒回路（50）と、上記ケーシング（11）内における空気の流路を切り換える流路切換機構（40）と、第１調湿運転と第２調湿運転とが行われるように上記冷媒回路（50）と上記流路切換機構（40）とを制御する制御部（95）とを備え、上記第１調湿運転では、上記バイパス通路（80）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、上記第２調湿運転では、上記バイパス通路（80）が開通し、上記ケーシング（11）内に取り込まれた室外空気（OA）が上記第１および第２吸着熱交換器（51,52）の一方と上記バイパス通路（80）とを通過して室内に供給され、該ケーシング（11）内に取り込まれた室内空気（RA）が該第１および第２吸着熱交換器（51,52）の他方を通過して室外に排出され、上記制御部（95）は、上記第１調湿運転が行われている場合に、上記圧縮機（53）の目標運転容量（Ctg）が予め定められた下限運転容量（CL）を下回ると、該第１調湿運転から上記第２調湿運転に切り換わるように上記冷媒回路（50）と上記流路切換機構（40）とを制御することを特徴とする調湿装置である。
【０００７】
上記第１の発明では、調湿運転の調湿能力は、圧縮機（53）の運転容量と第１および第２吸着熱交換器（51,52）を通過する空気の流量（特に吸着熱交換器（51,52）を通過する室外空気（OA）の風量）とに依存している。すなわち、吸着熱交換器（51,52）を通過する室外空気（OA）の風量が多くなるに連れて調湿装置の調湿能力が高くなる傾向にある。ここで、第２調湿運転では、室外空気（OA）が第１および第２吸着熱交換器（51,52）の一方とバイパス通路（80）とに分流するので、第２調湿運転において吸着熱交換器（51,52）を通過する室外空気（OA）の風量は、第１調湿運転において吸着熱交換器（51,52）を通過する室外空気（OA）の風量よりも少なくなる。
【０００８】
したがって、上記第１の発明では、第１調湿運転から第２調湿運転に切り換えることにより、吸着熱交換器（51,52）を通過する室外空気（OA）の風量を減少させて調湿装置の調湿能力の調節可能範囲を負側（低い側）にシフトさせることができる。逆に、第２調湿運転から第１調湿運転に切り換えることにより、吸着熱交換器（51,52）を通過する室外空気（OA）の風量を増加させて調湿装置の調湿能力の調節可能範囲を正側（高い側）にシフトさせることができる。これにより、調湿装置の調湿能力の調節可能範囲を第２調湿運転における調節可能範囲から第１調湿運転における調節可能範囲に戻すことができる。
【０００９】
また、上記第１の発明では、第１調湿運転において圧縮機（53）の目標運転容量（Ctg）が下限運転容量（CL）を下回る場合に第１調湿運転から第２調湿運転に切り換えることにより、調湿装置の調湿能力を負側に調節する余裕がなくなりそうな場合に調湿装置の調湿能力の調節可能範囲を負側にシフトさせることができる。
【００１０】
第２の発明は、上記第１の発明において、上記バイパス通路（80）は、第１および第２バイパス通路（81,82）を含み、上記第１調湿運転では、上記第１および第２バイパス通路（81,82）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、上記第２調湿運転では、上記第１および第２バイパス通路（81,82）が開通し、上記ケーシング（11）内に取り込まれた室外空気（OA）が上記第１および第２吸着熱交換器（51,52）の一方と上記第１および第２バイパス通路（81,82）の一方とを通過して室内に供給され、該ケーシング（11）内に取り込まれた室内空気（RA）が該第１および第２吸着熱交換器（51,52）の他方と該第１および第２バイパス通路（81,82）の他方とを通過して室外に排出されることを特徴とする調湿装置である。
【００１１】
上記第２の発明では、調湿運転の調湿能力は、圧縮機（53）の運転容量と第１および第２吸着熱交換器（51,52）を通過する空気の流量（以下「吸着熱交換器（51,52）の通過風量」と記載）とに依存している。すなわち、吸着熱交換器（51,52）の通過風量が多くなるに連れて調湿装置の調湿能力が高くなる傾向にある。ここで、第２調湿運転では、室外空気（OA）が第１および第２吸着熱交換器（51,52）の一方と第１および第２バイパス通路（81,82）の一方とに分流し、室内空気（RA）が第１および第２吸着熱交換器（51,52）の他方と第１および第２バイパス通路（81,82）の他方とに分流するので、第２調湿運転における吸着熱交換器（51,52）の通過風量は、第１調湿運転における吸着熱交換器（51,52）の通過風量よりも少なくなる。
【００１２】
したがって、上記第２の発明では、第１調湿運転から第２調湿運転に切り換えることにより、吸着熱交換器（51,52）の通過風量を減少させて調湿装置の調湿能力の調節可能範囲を負側（低い側）にシフトさせることができる。逆に、第２調湿運転から第１調湿運転に切り換えることにより、吸着熱交換器（51,52）の通過風量を増加させて調湿装置の調湿能力の調節可能範囲を正側（高い側）にシフトさせることができる。これにより、調湿装置の調湿能力の調節可能範囲を第２調湿運転における調節可能範囲から第１調湿運転における調節可能範囲に戻すことができる。
【００１３】
第３の発明は、上記第１または第２の発明において、上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御することを特徴とする調湿装置である。
【００１４】
上記第３の発明では、第２調湿運転において圧縮機（53）の目標運転容量（Ctg）が上限運転容量（CH）を上回る場合に第２調湿運転から第１調湿運転に切り換えることにより、調湿装置の調湿能力を正側に調節する余裕がなくなりそうな場合に調湿装置の調湿能力の調節可能範囲を正側にシフトさせることができる。
【００１５】
第４の発明は、上記第１または第２の発明において、上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御し、上記第１調湿運転において上記圧縮機（53）の運転容量が上記下限運転容量（CL）となる場合に対応する第１調湿能力が上記第２調湿運転において該圧縮機（53）の運転容量が上記上限運転容量（CH）となる場合に対応する第２調湿能力よりも低くなるように、該下限運転容量（CL）と該上限運転容量（CH）が設定されていることを特徴とする調湿装置である。
【００１６】
上記第４の発明では、第１調湿運転から第２調湿運転に切り換えられた直後に圧縮機（53）の運転容量が上限運転容量（CH）を上回って第２調湿運転から第１調湿運転に戻ってしまうことを防止することができる。また、第２調湿運転から第１調湿運転に切り換えられた直後に圧縮機（53）の運転容量が下限運転容量（CL）を下回って第１調湿運転から第２調湿運転に戻ってしまうことを防止することができる。
【００１７】
第５の発明は、上記第１〜第４の発明のいずれか１つにおいて、上記制御部（95）は、上記第２調湿運転が行われている場合に、上記第１および第２調湿室（37,38）と上記バイパス通路（80）とのうち少なくとも１つにおける結露の発生を防止するために予め定められた結露保護条件が成立すると、該第２調湿運転が終了するように上記冷媒回路（50）と上記流路切換機構（40）とを制御することを特徴とする調湿装置である。
【００１８】
上記第５の発明では、第２調湿運転において結露保護条件が成立する場合に第２調湿運転を終了させることができる。
【発明の効果】
【００１９】
第１〜第３の発明によれば、第１調湿運転と第２調湿運転とを切り換えることにより、調湿装置の調湿能力の調節可能範囲をシフトさせることができるので、第１調湿運転のみを行う場合よりも、調湿装置の調湿能力の調節幅（調節可能範囲の幅）を拡張することができる。
【００２０】
第４の発明によれば、第１調湿運転と第２調湿運転との切り換えが頻発する現象（いわゆるハンチング）の発生を防止することができる。
【００２１】
第５の発明によれば、第２調湿運転において結露保護条件が成立する場合に第２調湿運転を終了させることができるので、第１および第２調湿室（37,38）と第１および第２バイパス通路（81,82）とのうち少なくとも１つにおける結露の発生を防止することができる。
【図面の簡単な説明】
【００２２】
【図１】図１は、ケーシングの天板を省略して前面側から見た実施形態１による調湿装置を示した斜視図である。
【図２】図２は、ケーシングの一部および電装品箱を省略して前面側から見た実施形態１による調湿装置を示した斜視図である。
【図３】図３は、ケーシングの天板を省略して背面側から見た実施形態１による調湿装置を示した斜視図である。
【図４】図４は、実施形態１による調湿装置の概略構造を示した概略図である。
【図５】図５は、実施形態１における空気の経路とダンパの開閉と吸着熱交換器を通過する空気の種類との対応関係を示した表である。
【図６】図６は、冷媒回路の構成を示した配管系統図である。
【図７】図７は、四方切換弁の状態と吸着熱交換器の状態との対応関係を示した表である。
【図８】図８は、実施形態１における通常調湿運転の第１動作について説明するための概略図である。
【図９】図９は、実施形態１における通常調湿運転の第２動作について説明するための概略図である。
【図１０】図１０は、実施形態１におけるバイパス調湿運転の第１動作について説明するための概略図である。
【図１１】図１１は、実施形態１におけるバイパス調湿運転の第２動作について説明するための概略図である。
【図１２】図１２は、調湿運転の動作と空気の経路と冷媒回路の冷凍サイクル動作と運転状態との対応関係を示した表である。
【図１３】図１３は、運転モードの切り換えについて説明するための状態遷移図である。
【図１４】図１４は、運転モードと圧縮機の運転容量と調湿能力との関係について説明するためのグラフである。
【図１５】図１５は、実施形態２による調湿装置の概略構造を示した概略図である。
【図１６】図１６は、実施形態２における空気の経路とダンパの開閉と吸着熱交換器を通過する空気の種類との対応関係を示した表である。
【図１７】図１７は、実施形態２における通常調湿運転の第１動作について説明するための概略図である。
【図１８】図１８は、実施形態２における通常調湿運転の第２動作について説明するための概略図である。
【図１９】図１９は、実施形態２におけるバイパス調湿運転の第１動作について説明するための概略図である。
【図２０】図２０は、実施形態２におけるバイパス調湿運転の第２動作について説明するための概略図である。
【発明を実施するための形態】
【００２３】
以下、実施の形態を図面を参照して詳しく説明する。なお、図中同一または相当部分には同一の符号を付しその説明は繰り返さない。
【００２４】
（調湿装置）
図１〜図４は、実施形態による調湿装置（10）の構成例を示している。この調湿装置（10）は、室内の湿度調節とともに室内の換気を行うものであり、吸い込んだ室外空気（OA）を湿度調節して供給空気（SA）として室内に供給する一方で、吸い込んだ室内空気（RA）を湿度調節して排出空気（EA）として室外に排出するように構成されている。調湿装置（10）は、ケーシング（11）と、冷媒回路（50）と、流路切換機構（40）と、コントローラ（95）とを備えている。
【００２５】
ケーシング（11）には、第１および第２調湿室（37,38）と、第１または第２調湿室（37,38）をバイパスして空気を流すためのバイパス通路（80）とが設けられている。この例では、バイパス通路（80）は、第１バイパス通路（81）と第２バイパス通路（82）とを含んでいる。冷媒回路（50）は、圧縮機（53）と、第１および第２調湿室（37,38）にそれぞれ設けられる第１および第２吸着熱交換器（51,52）とを有し、第１および第２吸着熱交換器（51,52）を凝縮器と蒸発器とに切り換えることが可能に構成されている。流路切換機構（40）は、ケーシング（11）内における空気の流路を切り換えるように構成されている。
【００２６】
図１〜図４に示すように、調湿装置（10）のケーシング（11）内には、冷媒回路（50）が収容されている。冷媒回路（50）は、第１吸着熱交換器（51）と、第２吸着熱交換器（52）と、圧縮機（53）と、四方切換弁（54）と、電動膨張弁（55）とを有している。冷媒回路（50）については、後述する。なお、以下の説明で用いる「上」「下」「左」「右」「前」「後」「手前」「奥」は、特にことわらない限り、調湿装置（10）を前面側から見た場合の方向を意味している。
【００２７】
〈ケーシング〉
ケーシング（11）は、やや扁平で高さが比較的低い直方体状に形成されている。ケーシング（11）では、図１における左手前の側面（すなわち、前面）を形成する部分が前面パネル部（12）となり、図１における右奥の側面（すなわち、背面）を形成する部分が背面パネル部（13）となっている。また、このケーシング（11）では、図１における右手前の側面を形成する部分が第１側面パネル部（14）となり、図１における左奥の側面を形成する部分が第２側面パネル部（15）となっている。
【００２８】
ケーシング（11）には、外気吸込口（24）と、内気吸込口（23）と、給気口（22）と、排気口（21）とが形成されている。外気吸込口（24）および排気口（21）は、それぞれダクトを介して室外空間と連通する。内気吸込口（23）および給気口（22）は、それぞれダクトを介して室内空間と連通する。
【００２９】
外気吸込口（24）および内気吸込口（23）は、背面パネル部（13）に設けられている。外気吸込口（24）は、背面パネル部（13）の下側部分に配置されている。内気吸込口（23）は、背面パネル部（13）の上側部分に配置されている。給気口（22）は、第１側面パネル部（14）に設けられている。第１側面パネル部（14）において、給気口（22）は、前面パネル部（12）側の端部付近に配置されている。排気口（21）は、第２側面パネル部（15）に設けられている。第２側面パネル部（15）において、排気口（21）は、前面パネル部（12）側の端部付近に配置されている。
【００３０】
ケーシング（11）の内部空間には、上流側仕切板（71）と、下流側仕切板（72）と、中央仕切板（73）とが設けられている。これらの仕切板（71〜73）は、何れもケーシング（11）の底板に起立した状態で設置されており、ケーシング（11）の内部空間をケーシング（11）の底板から天板に亘って区画している。
【００３１】
上流側仕切板（71）および下流側仕切板（72）は、前面パネル部（12）および背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。中央仕切板（73）の配置については、後述する。
【００３２】
上流側仕切板（71）の左右方向の幅は、ケーシング（11）の左右方向の幅よりも短くなっている。上流側仕切板（71）の右端部は、その概ね下半分が切り欠かれており、その上半分が第１側面パネル部（14）に接続されている。上流側仕切板（71）の左端部と第２側面パネル部（15）との間には、隙間が形成されている。
【００３３】
下流側仕切板（72）の左右方向の幅は、上流側仕切板（71）の左右方向の幅よりも短くなっている。下流側仕切板（72）の右端部と第１側面パネル部（14）との間には、隙間が形成されている。下流側仕切板（72）の左端部と第２側面パネル部（15）との間にも、隙間が形成されている。
【００３４】
第１仕切板（74）は、上流側仕切板（71）と下流側仕切板（72）との間の空間を右側から塞ぐように配置されている。具体的には、第１仕切板（74）は、第１側面パネル部（14）と平行となり、且つ上流側仕切板（71）および下流側仕切板（72）と直交する姿勢で配置されている。第１仕切板（74）の前端部は、下流側仕切板（72）の右端部に接続されている。第１仕切板（74）の後端部は、上流側仕切板（71）に接続されている。
【００３５】
第２仕切板（75）は、上流側仕切板（71）と下流側仕切板（72）との間の空間を左側から塞ぐように配置されている。具体的には、第２仕切板（75）は、第２側面パネル部（15）と平行となり、且つ上流側仕切板（71）および下流側仕切板（72）と直交する姿勢で配置されている。第２仕切板（75）の前端部は、下流側仕切板（72）の左端部に接続されている。第２仕切板（75）の後端部は、背面パネル部（13）に接続されている。また、この第２仕切板（75）には、上流側仕切板（71）の左端部が接続されている。
【００３６】
ケーシング（11）内において、上流側仕切板（71）と背面パネル部（13）との間の空間は、上下二つの空間に仕切られており、上側の空間が内気側通路（32）を構成し、下側の空間が外気側通路（34）を構成している。内気側通路（32）は内気吸込口（23）と連通し、外気側通路（34）は外気吸込口（24）と連通する。
【００３７】
内気側通路（32）には、内気側フィルタ（27）と、内気温度センサ（91）と、内気湿度センサ（92）が設置されている。内気温度センサ（91）は、内気側通路（32）を流れる室内空気（RA）の温度を検出する。内気湿度センサ（92）は、内気側通路（32）を流れる室内空気（RA）の相対湿度を検出する。外気側通路（34）には、外気側フィルタ（28）と、外気温度センサ（93）と、外気湿度センサ（94）が設置されている。外気温度センサ（93）は、外気側通路（34）を流れる室外空気（OA）の温度を検出する。外気湿度センサ（94）は、外気側通路（34）を流れる室外空気（OA）の相対湿度を検出する。なお、図１〜図３では、内気温度センサ（91）と内気湿度センサ（92）と外気温度センサ（93）と外気湿度センサ（94）の図示を省略している。
【００３８】
ケーシング（11）内において、上流側仕切板（71）と下流側仕切板（72）との間の空間は、中央仕切板（73）によって左右に区画されており、中央仕切板（73）の右側の空間が第１調湿室（37）を構成し、中央仕切板（73）の左側の空間が第２調湿室（38）を構成している。第１調湿室（37）には、第１吸着熱交換器（51）が収容されている。第２調湿室（38）には、第２吸着熱交換器（52）が収容されている。また、図示しないが、第１調湿室（37）には、冷媒回路（50）の電動膨張弁（55）が収容されている。以下の説明では、第１および第２調湿室（37,38）の総称を「調湿室（37,38）」と記載し、第１および第２吸着熱交換器（51,52）の総称を「吸着熱交換器（51,52）」と記載する。
【００３９】
吸着熱交換器（51,52）は、いわゆるクロスフィン型のフィン・アンド・チューブ熱交換器の表面に吸着剤を担持させたものである。この吸着剤としては、ゼオライト、シリカゲル、活性炭、親水性の官能基を有する有機高分子材料など、空気中の水分を吸着できる材料が用いられている。なお、この明細書の「吸着剤」には、水蒸気の吸着と吸収の両方を行う材料（いわゆる収着剤）も含まれる。
【００４０】
吸着熱交換器（51,52）は、全体として長方形の厚板状あるいは扁平な直方体状に形成されている。そして、吸着熱交換器（51,52）は、その前面および背面が上流側仕切板（71）および下流側仕切板（72）と平行になる姿勢で、調湿室（37,38）内に起立した状態で設置されている。
【００４１】
ケーシング（11）の内部空間において、下流側仕切板（72）の前面に沿った空間は、上下に仕切られており、上側の空間が給気側通路（31）を構成し、下側の空間が排気側通路（33）を構成している。
【００４２】
上流側仕切板（71）には、四つの開閉式のダンパ（41〜44）が設けられている。各ダンパ（41〜44）は、概ね横長の長方形状に形成されている。具体的には、上流側仕切板（71）のうち内気側通路（32）に面する部分（上側部分）において、中央仕切板（73）よりも右側に第１内気側ダンパ（41）が取り付けられ、中央仕切板（73）よりも左側に第２内気側ダンパ（42）が取り付けられる。上流側仕切板（71）のうち外気側通路（34）に面する部分（下側部分）において、中央仕切板（73）よりも右側に第１外気側ダンパ（43）が取り付けられ、中央仕切板（73）よりも左側に第２外気側ダンパ（44）が取り付けられる。
【００４３】
第１内気側ダンパ（41）を開閉すると、内気側通路（32）と第１調湿室（37）との間が断続される。第２内気側ダンパ（42）を開閉すると、内気側通路（32）と第２調湿室（38）との間が断続される。第１外気側ダンパ（43）を開閉すると、外気側通路（34）と第１調湿室（37）との間が断続される。第２外気側ダンパ（44）を開閉すると、外気側通路（34）と第２調湿室（38）との間が断続される。
【００４４】
下流側仕切板（72）には、四つの開閉式のダンパ（45〜48）が設けられている。各ダンパ（45〜48）は、概ね横長の長方形状に形成されている。具体的には、下流側仕切板（72）のうち給気側通路（31）に面する部分（上側部分）において、中央仕切板（73）よりも右側に第１給気側ダンパ（45）が取り付けられ、中央仕切板（73）よりも左側に第２給気側ダンパ（46）が取り付けられる。下流側仕切板（72）のうち排気側通路（33）に面する部分（下側部分）において、中央仕切板（73）よりも右側に第１排気側ダンパ（47）が取り付けられ、中央仕切板（73）よりも左側に第２排気側ダンパ（48）が取り付けられる。
【００４５】
第１給気側ダンパ（45）を開閉すると、給気側通路（31）と第１調湿室（37）との間が断続される。第２給気側ダンパ（46）を開閉すると、給気側通路（31）と第２調湿室（38）との間が断続される。第１排気側ダンパ（47）を開閉すると、排気側通路（33）と第１調湿室（37）との間が断続される。第２排気側ダンパ（48）を開閉すると、排気側通路（33）と第２調湿室（38）との間が断続される。
【００４６】
ケーシング（11）内において、給気側通路（31）および排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４７】
給気ファン室（36）には、給気ファン（26）が収容されている。また、排気ファン室（35）には排気ファン（25）が収容されている。この例では、給気ファン（26）および排気ファン（25）は、いずれも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４８】
給気ファン室（36）には、冷媒回路（50）の圧縮機（53）と四方切換弁（54）とが収容されている。圧縮機（53）および四方切換弁（54）は、給気ファン室（36）における給気ファン（26）と仕切板（77）との間に配置されている。
【００４９】
ケーシング（11）の前面パネル部（12）には、電装品箱（90）が取り付けられている。電装品箱（90）には、コントローラ（95）が収容されている。コントローラ（95）については、後述する。
【００５０】
ケーシング（11）内において、第１仕切板（74）と第１側面パネル部（14）との間の空間は、第１バイパス通路（81）を構成し、第２仕切板（75）と第２側面パネル部（15）との間の空間は、第２バイパス通路（82）を構成している。第１および第２バイパス通路（81,82）は、第１および第２調湿室（37,38）をバイパスして空気（室外空気（OA）および室内空気（RA））を流すための通路である。この例では、第１および第２バイパス通路（81,82）は、第１および第２調湿室（37,38）にそれぞれ隣接するように設けられている。
【００５１】
第１バイパス通路（81）の始端（背面パネル部（13）側の端部）は、外気側通路（34）だけに連通しており、内気側通路（32）からは遮断されている。第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）と排気側通路（33）と給気ファン室（36）から区画されている。仕切板（78）のうち給気ファン室（36）に臨む部分には、第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００５２】
第２バイパス通路（82）の始端（背面パネル部（13）側の端部）は、内気側通路（32）だけに連通しており、外気側通路（34）からは遮断されている。第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）と排気側通路（33）と排気ファン室（35）から区画されている。仕切板（79）のうち排気ファン室（35）に臨む部分には、第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００５３】
なお、図４の右側面図および左側面図では、第１バイパス通路（81）と第２バイパス通路（82）と第１バイパス用ダンパ（83）と第２バイパス用ダンパ（84）の図示を省略している。
【００５４】
〈流路切換機構〉
この例では、上述した八つのダンパ（41〜48）と第１および第２バイパス用ダンパ（83,84）が流路切換機構（40）を構成している。流路切換機構（40）は、ケーシング（11）内における空気の流路を切り換えるように構成されている。具体的には、流路切換機構（40）は、八つのダンパ（41〜48）とバイパス用ダンパ（83,84）をそれぞれ開閉させることで、ケーシング（11）内における空気の流路を第１経路（図８）と第２経路（図９）と第３経路（図１０）と第４経路（図１１）とに切り換える。なお、図８〜図１１では、閉状態となっているダンパにはハッチングが付されている。
【００５５】
《第１経路》
第１経路（図８）を形成する場合には、第１および第２バイパス用ダンパ（83,84）が閉状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１および第２バイパス通路（81,82）が閉鎖され、ケーシング（11）内に取り込まれた室外空気（OA）が第１吸着熱交換器（51）を通過して室内に供給され、ケーシング（11）内に取り込まれた室内空気（RA）が第２吸着熱交換器（52）を通過して室外に排出される。
【００５６】
《第２経路》
第２経路（図９）を形成する場合には、第１および第２バイパス用ダンパ（83,84）が閉状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１および第２バイパス通路（81,82）が閉鎖され、ケーシング（11）内に取り込まれた室外空気（OA）が第２吸着熱交換器（52）を通過して室内に供給され、ケーシング（11）内に取り込まれた室内空気（RA）が第１吸着熱交換器（51）を通過して室外に排出される。
【００５７】
《第３経路》
第３経路（図１０）を形成する場合には、第１および第２バイパス用ダンパ（83,84）が開状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１および第２バイパス通路（81,82）が開通し、ケーシング（11）内に取り込まれた室外空気（OA）が第１吸着熱交換器（51）と第１バイパス通路（81）とを通過して室内に供給され、ケーシング（11）内に取り込まれた室内空気（RA）が第２吸着熱交換器（52）と第２バイパス通路（82）とを通過して室外に排出される。
【００５８】
《第４経路》
第４経路（図１１）を形成する場合には、第１および第２バイパス用ダンパ（83,84）が開状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１および第２バイパス通路（81,82）が開通し、ケーシング（11）内に取り込まれた室外空気（OA）が第２吸着熱交換器（52）と第１バイパス通路（81）とを通過して室内に供給され、ケーシング（11）内に取り込まれた室内空気（RA）が第１吸着熱交換器（51）と第２バイパス通路（82）とを通過して室外に排出される。
【００５９】
なお、空気の経路（第１〜第４経路）とダンパ（41〜48,83,84）の開閉と吸着熱交換器（51,52）を通過する空気の種類（室外空気（OA）と室内空気（RA））との対応関係は、図５に示すとおりである。
【００６０】
〈冷媒回路〉
図６は、冷媒回路（50）の構成例を示している。冷媒回路（50）は、第１吸着熱交換器（51）と、第２吸着熱交換器（52）と、圧縮機（53）と、四方切換弁（54）と、電動膨張弁（55）とが設けられた閉回路である。この冷媒回路（50）は、充填された冷媒を循環させることによって、蒸気圧縮冷凍サイクルを行う。具体的には、冷媒回路（50）は、第１冷凍サイクル動作と第２冷凍サイクル動作とを行うように構成されている。
【００６１】
冷媒回路（50）において、圧縮機（53）は、その吐出管が四方切換弁（54）の第１ポートに接続され、その吸入管が四方切換弁（54）の第２ポートに接続されている。また、冷媒回路（50）では、四方切換弁（54）の第３ポートから第４ポートへ向かって順に、第１吸着熱交換器（51）と電動膨張弁（55）と第２吸着熱交換器（52）とが配置されている。
【００６２】
四方切換弁（54）は、第１ポートと第３ポートが連通して第２ポートと第４ポートが連通する第１状態（図６の実線で示された状態）と、第１ポートと第４ポートが連通して第２ポートと第３ポートが連通する第２状態（図６の破線で示された状態）とに切り換え可能となっている。
【００６３】
圧縮機（53）は、その運転容量を変更可能に構成されている。この例では、圧縮機（53）は、圧縮機構とそれを駆動する電動機とが一つのケーシングに収容された全密閉型の圧縮機である。この圧縮機（53）の電動機には、インバータを介して交流が供給される。インバータの出力周波数（すなわち、圧縮機（53）の運転周波数）を変更すると、電動機とそれによって駆動される圧縮機構の回転速度が変化し、圧縮機（53）の運転容量が変化する。圧縮機構の回転速度を上昇させると圧縮機（53）の運転容量が増加し、圧縮機構の回転速度を低下させると圧縮機（53）の運転容量が減少する。
【００６４】
《第１冷凍サイクル動作》
第１冷凍サイクル動作では、圧縮機（53）が駆動状態に設定され、四方切換弁（54）が第１状態（図６の実線で示された状態）に設定され、電動膨張弁（55）の開度が調節される。これにより、冷媒回路（50）では、第１吸着熱交換器（51）が凝縮器となり、第２吸着熱交換器（52）が蒸発器となる。凝縮器となっている第１吸着熱交換器（51）では、冷媒の放熱により吸着剤が加熱され、吸着剤の水分が空気中に放出されて吸着剤が再生される。一方、蒸発器となっている第２吸着熱交換器（52）では、冷媒の吸熱により吸着剤が冷却され、空気中の水分が吸着剤に吸着され、その吸着による生じた吸着熱が冷媒に吸収される。
【００６５】
《第２冷凍サイクル動作》
第２冷凍サイクル動作では、圧縮機（53）が駆動状態に設定され、四方切換弁（54）が第２状態（図６の破線で示された状態）に設定され、電動膨張弁（55）の開度が調節される。これにより、冷媒回路（50）では、第１吸着熱交換器（51）が蒸発器となり、第２吸着熱交換器（52）が凝縮器となる。蒸発器となっている第１吸着熱交換器（51）では、冷媒の吸熱により吸着剤が冷却され、空気中の水分が吸着剤に吸着され、その吸着による生じた吸着熱が冷媒に吸収される。一方、凝縮器となっている第２吸着熱交換器（52）では、冷媒の放熱により吸着剤が加熱され、吸着剤の水分が空気中に放出されて吸着剤が再生される。
【００６６】
《吸着熱交換器を通過する空気》
上記のように、凝縮器となっている吸着熱交換器（51,52）を通過する空気は、吸着熱交換器（51,52）の吸着剤から水分を付与されて湿度が上昇する。一方、蒸発器となっている吸着熱交換器（51,52）を通過する空気は、吸着熱交換器（51,52）の吸着剤に水分を奪われて湿度が低下する。
【００６７】
なお、四方切換弁（54）の状態（第１および第２状態）と吸着熱交換器（51,52）の状態（凝縮器と蒸発器）との対応関係は、図７に示すとおりである。
【００６８】
《各種センサ》
また、冷媒回路（50）には、吐出圧力センサ（61）や吸入圧力センサ（62）や吐出温度センサ（63）や吸入温度センサ（64）などの各種センサが設けられている。吐出圧力センサ（61）は、圧縮機（53）から吐出された吐出冷媒（高圧冷媒）の圧力を検出する。吸入圧力センサ（62）は、圧縮機（53）に吸入される吸入冷媒（低圧冷媒）の圧力を検出する。吐出温度センサ（63）は、圧縮機（53）から吐出される吐出冷媒の温度を検出する。吸入温度センサ（64）は、圧縮機（53）に吸入される吸入冷媒の温度を検出する。
【００６９】
〈コントローラ〉
コントローラ（95）には、各種センサ（例えば、内気温度センサ（91），内気湿度センサ（92），外気温度センサ（93），外気湿度センサ（94），吐出圧力センサ（61），吸入圧力センサ（62），吐出温度センサ（63），吸入温度センサ（64）など）の検出値が入力される。そして、コントローラ（95）は、入力されたこれらの検出値や信号に基づいて、調湿装置（10）の流路切換機構（40）や冷媒回路（50）を制御する。具体的には、コントローラ（95）は、ダンパ（41〜48,83,84）と、ファン（25,26）と、圧縮機（53）と、電動膨張弁（55）と、四方切換弁（54）を制御する。
【００７０】
この例では、コントローラ（95）は、調湿装置（10）において通常調湿運転（第１調湿運転）とバイパス調湿運転（第２調湿運転）とが選択的に行われるように、冷媒回路（50）と流路切換機構（40）とを制御する。
【００７１】
〈通常調湿運転（第１調湿運転）〉
通常調湿運転は、第１および第２バイパス通路（81,82）を利用せずに室内の湿度調節を行う運転のことであり、室内の除湿を行う通常除湿運転と、室内の加湿を行う通常加湿運転とを含んでいる。
【００７２】
通常調湿運転では、給気ファン（26）と排気ファン（25）が駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【００７３】
また、通常調湿運転では、第１および第２バイパス通路（81,82）が閉鎖され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）を通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【００７４】
《通常調湿運転の第１動作》
図８に示すように、通常調湿運転の第１動作では、ケーシング（11）内における空気の流路が第１経路に設定される。また、冷媒回路（50）において冷凍サイクル動作が行われる。具体的には、通常除湿運転では、冷媒回路（50）において第２冷凍サイクル動作が行われ、通常加湿運転では、冷媒回路（50）において第１冷凍サイクル動作が行われる。
【００７５】
外気吸込口（24）を通過して外気側通路（34）に取り込まれた室外空気（OA）は、第１外気側ダンパ（43）を通過して第１調湿室（37）に流入し、第１調湿室（37）において第１吸着熱交換器（51）を通過して調湿（除湿または加湿）される。具体的には、通常除湿運転では、室外空気（OA）が蒸発器となっている第１吸着熱交換器（51）を通過して除湿および冷却され、通常加湿運転では、室外空気（OA）が凝縮器となっている第１吸着熱交換器（51）を通過して加湿および加熱される。第１吸着熱交換器（51）において調湿された空気は、第１給気側ダンパ（45）と給気側通路（31）と給気ファン室（36）と給気口（22）とを順に通過して室内に供給される。
【００７６】
内気吸込口（23）を通過して内気側通路（32）に取り込まれた室内空気（RA）は、第２内気側ダンパ（42）を通過して第２調湿室（38）に流入し、第２調湿室（38）において第２吸着熱交換器（52）を通過して調湿（加湿または除湿）される。具体的には、通常除湿運転では、室内空気（RA）が凝縮器となっている第２吸着熱交換器（52）を通過して加湿および加熱され、通常加湿運転では、室内空気（RA）が蒸発器となっている第２吸着熱交換器（52）を通過して除湿および冷却される。第２吸着熱交換器（52）において調湿された空気は、第２排気側ダンパ（48）と排気側通路（33）と排気ファン室（35）と排気口（21）とを順に通過して室外に排出される。
【００７７】
《通常調湿運転の第２動作》
図９に示すように、通常調湿運転の第２動作では、ケーシング（11）内における空気の流路が第２経路に設定される。また、冷媒回路（50）において冷凍サイクル動作が行われる。具体的には、通常除湿運転では、冷媒回路（50）において第１冷凍サイクル動作が行われ、通常加湿運転では、冷媒回路（50）において第２冷凍サイクル動作が行われる。
【００７８】
外気吸込口（24）を通過して外気側通路（34）に取り込まれた室外空気（OA）は、第２外気側ダンパ（44）を通過して第２調湿室（38）に流入し、第２調湿室（38）において第２吸着熱交換器（52）を通過して調湿（除湿または加湿）される。具体的には、通常除湿運転では、室外空気（OA）が蒸発器となっている第２吸着熱交換器（52）を通過して除湿および冷却され、通常加湿運転では、室外空気（OA）が凝縮器となっている第２吸着熱交換器（52）を通過して加湿および加熱される。第２吸着熱交換器（52）において調湿された空気は、第２給気側ダンパ（46）と給気側通路（31）と給気ファン室（36）と給気口（22）とを順に通過して室内に供給される。
【００７９】
内気吸込口（23）を通過して内気側通路（32）に取り込まれた室内空気（RA）は、第１内気側ダンパ（41）を通過して第１調湿室（37）に流入し、第１調湿室（37）において第１吸着熱交換器（51）を通過して調湿（加湿または除湿）される。具体的には、通常除湿運転では、室内空気（RA）が凝縮器となっている第１吸着熱交換器（51）を通過して加湿および加熱され、通常加湿運転では、室内空気（RA）が蒸発器となっている第１吸着熱交換器（51）を通過して除湿および冷却される。第２吸着熱交換器（52）において調湿された空気は、第１排気側ダンパ（47）と排気側通路（33）と排気ファン室（35）と排気口（21）とを順に通過して室外に排出される。
【００８０】
〈バイパス調湿運転（第２調湿運転）〉
バイパス調湿運転は、第１および第２バイパス通路（81,82）を利用して室内の湿度調節を行う運転のことであり、室内の除湿を行うバイパス除湿運転と、室内の加湿を行うバイパス加湿運転とを含んでいる。
【００８１】
バイパス調湿運転では、給気ファン（26）と排気ファン（25）とが駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【００８２】
また、バイパス調湿運転では、第１および第２バイパス通路（81,82）が開通され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）と第１および第２バイパス通路（81,82）の一方（この例では、常に第１バイパス通路（81））とを通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）と第１および第２バイパス通路（81,82）の他方（この例では、常に第２バイパス通路（82））とを通過して室外に排出されるように、ケーシング（11）内における空気の流路が切り換えられる。具体的には、次の第１動作と第２動作とが３分間ずつ交互に繰り返し行われる。
【００８３】
《バイパス調湿運転の第１動作》
図１０に示すように、バイパス調湿運転の第１動作では、流路切換機構（40）がケーシング（11）内における空気の流路を第３経路に設定する。また、冷媒回路（50）において冷凍サイクル動作が行われる。具体的には、バイパス除湿運転では、冷媒回路（50）において第２冷凍サイクル動作が行われ、バイパス加湿運転では、冷媒回路（50）において第１冷凍サイクル動作が行われる。
【００８４】
外気吸込口（24）を通過して外気側通路（34）に取り込まれた室外空気（OA）は、その一部が第１外気側ダンパ（43）を通過して第１調湿室（37）に流入し、その残部が第１バイパス通路（81）を通過して給気ファン室（36）に流入する。第１調湿室（37）に流入した室外空気（OA）は、第１調湿室（37）において第１吸着熱交換器（51）を通過して調湿（除湿または加湿）される。具体的には、バイパス除湿運転では、室外空気（OA）が蒸発器となっている第１吸着熱交換器（51）を通過して除湿および冷却され、バイパス加湿運転では、室外空気（OA）が凝縮器となっている第１吸着熱交換器（51）を通過して加湿および加熱される。第１吸着熱交換器（51）において調湿された空気は、第１給気側ダンパ（45）と給気側通路（31）とを順に通過して給気ファン室（36）に流入し、給気ファン室（36）において第１バイパス通路（81）を通過した空気と合流し、その後、給気口（22）を通過して室内に供給される。
【００８５】
内気吸込口（23）を通過して内気側通路（32）に取り込まれた室内空気（RA）は、その一部が第２内気側ダンパ（42）を通過して第２調湿室（38）に流入し、その残部が第２バイパス通路（82）を通過して給気ファン室（36）に流入する。第２調湿室（38）に流入した室内空気（RA）は、第２調湿室（38）において第２吸着熱交換器（52）を通過して調湿（加湿または除湿）される。具体的には、バイパス除湿運転では、室内空気（RA）が凝縮器となっている第２吸着熱交換器（52）を通過して加湿および加熱され、バイパス加湿運転では、室内空気（RA）が蒸発器となっている第２吸着熱交換器（52）を通過して除湿および冷却される。第２吸着熱交換器（52）において調湿された空気は、第２排気側ダンパ（48）と排気側通路（33）とを順に通過して排気ファン室（35）に流入し、排気ファン室（35）において第２バイパス通路（82）を通過した空気と合流し、その後、排気口（21）を通過して室外に排出される。
【００８６】
《バイパス調湿運転の第２動作》
図１１に示すように、バイパス調湿運転の第２動作では、流路切換機構（40）がケーシング（11）内における空気の流路を第４経路に設定する。また、冷媒回路（50）において冷凍サイクル動作が行われる。具体的には、バイパス除湿運転では、冷媒回路（50）において第１冷凍サイクル動作が行われ、バイパス加湿運転では、冷媒回路（50）において第２冷凍サイクル動作が行われる。
【００８７】
外気吸込口（24）を通過して外気側通路（34）に取り込まれた室外空気（OA）は、その一部が第２外気側ダンパ（44）を通過して第２調湿室（38）に流入し、その残部が第１バイパス通路（81）を通過して給気ファン室（36）に流入する。第２調湿室（38）に流入した室外空気（OA）は、第２調湿室（38）において第２吸着熱交換器（52）を通過して調湿（除湿または加湿）される。具体的には、バイパス除湿運転では、室外空気（OA）が蒸発器となっている第２吸着熱交換器（52）を通過して除湿および冷却され、バイパス加湿運転では、室外空気（OA）が凝縮器となっている第２吸着熱交換器（52）を通過して加湿および加熱される。第２吸着熱交換器（52）において調湿された空気は、第２給気側ダンパ（46）と給気側通路（31）とを順に通過して給気ファン室（36）に流入し、給気ファン室（36）において第１バイパス通路（81）を通過した空気と合流し、その後、給気口（22）を通過して室内に供給される。
【００８８】
内気吸込口（23）を通過して内気側通路（32）に取り込まれた室内空気（RA）は、その一部が第１内気側ダンパ（41）を通過して第１調湿室（37）に流入し、その残部が第２バイパス通路（82）を通過して給気ファン室（36）に流入する。第１調湿室（37）に流入した室内空気（RA）は、第１調湿室（37）において第１吸着熱交換器（51）を通過して調湿（加湿または除湿）される。具体的には、バイパス除湿運転では、室内空気（RA）が凝縮器となっている第１吸着熱交換器（51）を通過して加湿および加熱され、バイパス加湿運転では、室内空気（RA）が蒸発器となっている第１吸着熱交換器（51）を通過して除湿および冷却される。第１吸着熱交換器（51）において調湿された空気は、第１排気側ダンパ（47）と排気側通路（33）とを順に通過して排気ファン室（35）に流入し、排気ファン室（35）において第２バイパス通路（82）を通過した空気と合流し、その後、排気口（21）を通過して室外に排出される。
【００８９】
なお、調湿運転（通常調湿運転とバイパス調湿運転）の動作と空気の経路（第１〜第４経路）と冷媒回路（50）の冷凍サイクル動作（第１および第２冷凍サイクル動作）と運転状態（加湿運転と除湿運転）との対応関係は、図１２に示すとおりである。
【００９０】
〈運転モードの切り換え〉
次に、図１３および図１４を参照して、調湿装置（10）における運転モードの切り換えについて説明する。図１４において、第１能力特性曲線（L1）は、通常調湿運転（第１調湿運転）における圧縮機（53）の運転容量と調湿装置（10）の調湿能力との関係を示している。第２能力特性曲線（L2）は、バイパス調湿運転（第２調湿運転）における圧縮機（53）の運転容量と調湿装置（10）の調湿能力との関係を示している。
【００９１】
コントローラ（95）は、室内の調湿負荷（すなわち、室内空気（RA）の湿度と予め定められた目標湿度との差）に応じて圧縮機（53）の目標運転容量（Ctg）を設定する。具体的には、コントローラ（95）は、室内の調湿負荷が高くなるほど圧縮機（53）の目標運転容量（Ctg）が高くなるように、室内の調湿負荷に応じて目標運転容量（Ctg）を設定する。
【００９２】
そして、図１３に示すように、コントローラ（95）は、通常調湿運転が行われている場合に圧縮機（53）の目標運転容量（Ctg）が予め定められた下限運転容量（CL）を下回ると、通常調湿運転からバイパス調湿運転に切り換わるように冷媒回路（50）と流路切換機構（40）を制御する。
【００９３】
通常調湿運転における下限運転容量（CL）は、圧縮機（53）の最小運転容量（Cmin）以上であり且つ第１運転容量以下である運転容量に設定されている。第１運転容量は、通常調湿運転において調湿装置（10）の調湿能力がバイパス調湿運転における調湿装置（10）の調湿能力の最大値（すなわち、バイパス調湿運転において圧縮機（53）の運転容量が最大運転容量（Cmax）となるときの調湿装置（10）の調湿能力）と等しくなるときの圧縮機（53）の運転容量に相当する。なお、バイパス調湿運転における調湿装置（10）の調湿能力は、バイパス調湿運転において吸着熱交換器（51,52）を通過する空気の流量と圧縮機（53）の運転容量とに基づいて推定することが可能である。
【００９４】
また、図１３に示すように、コントローラ（95）は、バイパス調湿運転が行われている場合に圧縮機（53）の目標運転容量（Ctg）が予め定められた上限運転容量（CH）を上回ると、バイパス調湿運転から通常調湿運転に切り換わるように冷媒回路（50）と流路切換機構（40）を制御する。
【００９５】
バイパス調湿運転における上限運転容量（CH）は、第２運転容量以上であり且つ圧縮機（53）の最大運転容量（Cmax）以下である運転容量に設定されている。第２運転容量は、バイパス調湿運転において調湿装置（10）の調湿能力が通常調湿運転における調湿装置（10）の調湿能力の最小値（すなわち、通常調湿運転において圧縮機（53）の運転容量が最小運転容量（Cmin）となるときの調湿装置（10）の調湿能力）と等しくなるときの圧縮機（53）の運転容量に相当する。なお、通常調湿運転における調湿装置（10）の調湿能力は、通常調湿運転において吸着熱交換器（51,52）を通過する空気の流量と圧縮機（53）の運転容量とに基づいて推定することが可能である。
【００９６】
図１４の例では、下限運転容量（CL）は、圧縮機（53）の最小運転容量（Cmin）に設定され、上限運転容量（CH）は、圧縮機（53）の最大運転容量（Cmax）に設定されている。また、通常調湿運転において圧縮機（53）の運転容量が下限運転容量（CL）となる場合に対応する第１調湿能力は、バイパス調湿運転において圧縮機（53）の運転容量が上限運転容量（CH）となる場合に対応する第２調湿能力よりも低くなっている。
【００９７】
〈調湿能力の調節幅〉
次に、図１４を参照して、調湿装置（10）の調湿能力の調節幅（調節可能範囲の幅）について説明する。図１４において、調節幅（W1）は、通常調湿運転における調湿装置（10）の調湿能力の調節幅を示している。調節幅（W2）は、バイパス調湿運転における調湿装置（10）の調湿能力の調節幅を示している。調湿幅（W3）は、通常調湿運転とバイパス調湿運転とを切り換えて行う場合の調湿装置（10）の調湿能力の調節幅を示している。
【００９８】
調湿運転の調湿能力は、圧縮機（53）の運転容量と第１および第２吸着熱交換器（51,52）を通過する空気の流量（以下「吸着熱交換器（51,52）の通過風量」と記載）とに依存している。すなわち、圧縮機（53）の運転容量が高くなるに連れて調湿装置（10）の調湿能力が高くなる傾向にあり、吸着熱交換器（51,52）の通過風量が多くなるに連れて調湿装置（10）の調湿能力が高くなる傾向にある。
【００９９】
また、バイパス調湿運転では、室外空気（OA）が吸着熱交換器（51,52）と第１バイパス通路（81）とに分流し、室内空気（RA）が吸着熱交換器（51,52）と第２バイパス通路（82）とに分流するので、バイパス調湿運転における吸着熱交換器（51,52）の通過風量は、通常調湿運転における吸着熱交換器（51,52）の通過風量よりも少なくなる。
【０１００】
したがって、通常調湿運転からバイパス調湿運転に切り換えることにより、吸着熱交換器（51,52）の通過風量を減少させて調湿装置（10）の調湿能力の調節可能範囲を負側（低い側）にシフトさせることができる。逆に、バイパス調湿運転から通常調湿運転に切り換えることにより、吸着熱交換器（51,52）の通過風量を増加させて調湿装置（10）の調湿能力の調節可能範囲を正側（高い側）にシフトさせることができる。
【０１０１】
〈実施形態１による効果〉
以上のように、通常調湿運転とバイパス調湿運転とを切り換えることにより、調湿装置（10）の調湿能力の調節可能範囲をシフトさせることができる。具体的には、通常調湿運転において圧縮機（53）の目標運転容量（Ctg）が下限運転容量（CL）を下回る場合に通常調湿運転からバイパス調湿運転に切り換えることにより、調湿装置（10）の調湿能力を負側に調節する余裕がなくなりそうな場合に調湿装置（10）の調湿能力の調節可能範囲を負側にシフトさせることができる。また、バイパス調湿運転において圧縮機（53）の目標運転容量（Ctg）が上限運転容量（CH）を上回る場合にバイパス調湿運転から通常調湿運転に切り換えることにより、調湿装置（10）の調湿能力を正側に調節する余裕がなくなりそうな場合に調湿装置（10）の調湿能力の調節可能範囲を正側にシフトさせることができる。
【０１０２】
このように、通常調湿運転とバイパス調湿運転とを切り換えることにより、調湿装置（10）の調湿能力の調節可能範囲をシフトさせることができるので、通常調湿運転のみを行う場合よりも、調湿装置（10）の調湿能力の調節幅（調節可能範囲の幅）を拡張することができる。
【０１０３】
また、第１調湿能力（通常調湿運転において圧縮機（53）の運転容量が下限運転容量（CL）となる場合に対応する調湿装置（10）の調湿能力）が第２調湿能力（バイパス調湿運転において圧縮機（53）の運転容量が上限運転容量（CH）となる場合に対応する調湿装置（10）の調湿能力）よりも低くなるように、下限運転容量（CL）と上限運転容量（CH）とを設定することにより、通常調湿運転からバイパス調湿運転に切り換えられた直後に圧縮機（53）の運転容量が上限運転容量（CH）を上回ってバイパス調湿運転から通常調湿運転に戻ってしまうことを防止することができる。また、バイパス調湿運転から通常調湿運転に切り換えられた直後に圧縮機（53）の運転容量が下限運転容量（CL）を下回って通常調湿運転からバイパス調湿運転に戻ってしまうことを防止することができる。これにより、通常調湿運転とバイパス調湿運転との切り換えが頻発する現象（いわゆるハンチング）の発生を防止することができる。
【０１０４】
なお、室内の湿度調節のために調湿装置（10）の調湿能力の調節可能範囲よりも低い調湿能力が要求される場合（すなわち、室内の調湿負荷が比較的に低負荷となる場合）、調湿装置（10）において圧縮機（53）の発停を繰り返し行うことになる。また、圧縮機（53）の発停の繰り返し頻度が高くなるほど、調湿装置（10）における消費電力が高くなる傾向にある。また、圧縮機（53）を停止状態から駆動状態に切り換える（すなわち、圧縮機（53）を起動する）場合、冷媒回路（50）における高低圧差を確保するために、給気ファン（26）および排気ファン（25）を停止状態に設定することが好ましい。しかしながら、給気ファン（26）および排気ファン（25）を停止させると室内の換気が停止してしまうので、室内の換気量が低下してしまう。
【０１０５】
この実施形態による調湿装置（10）では、調湿装置（10）の調湿能力の調節幅を拡張することができる（特に、通常調湿運転のみを行う場合よりも調湿装置（10）の調湿能力の調節可能範囲を負側に拡張することができる）ので、圧縮機（53）の発停の繰り返し頻度を低減することができる。そのため、通常調湿運転のみを行う場合よりも、調湿装置（10）における消費電力を低減することができる。また、圧縮機（53）の発停の繰り返し頻度を低減することができるので、圧縮機（53）の起動動作に伴う給気ファン（26）および排気ファン（25）の停止による室内の換気量の低下を抑制することができる。
【０１０６】
（実施形態１の変形例）
なお、実施形態１による調湿装置（10）において、コントローラ（95）は、次のように構成されていてもよい。すなわち、コントローラ（95）は、バイパス調湿運転（第２調湿運転）が行われている場合に、予め定められた結露保護条件が成立すると、バイパス調湿運転が終了するように（例えば、バイパス調湿運転から通常調湿運転に切り換わるように）冷媒回路（50）と流路切換機構（40）とを制御してもよい。
【０１０７】
結露保護条件は、第１および第２調湿室（37,38）と第１および第２バイパス通路（81,82）とのうち少なくとも１つにおける結露の発生を防止するために予め定められた条件である。例えば、結露保護条件には、蒸発器となっている吸着熱交換器（51,52）における冷媒の蒸発温度が吸着熱交換器（51,52）の結露保護温度を下回るという条件（すなわち、調湿室（37,38）における結露の発生を防止するための条件）が含まれている。なお、吸着熱交換器（51,52）の結露保護温度は、蒸発器となっている吸着熱交換器（51,52）において結露が発生する可能性が高いとみなせる温度（具体的には、室外空気（OA）の露点温度よりも僅かに高い温度）に設定されている。
【０１０８】
また、結露保護条件には、室内空気（RA）の温度が室外空気（OA）を通過させるバイパス通路（この例では第１バイパス通路（81））および調湿室（37,38）の結露保護温度を下回るという条件（すなわち、室外空気（OA）を通過させるバイパス通路および調湿室（37,38）における結露の発生を防止するための条件）が含まれていてもよい。なお、室外空気（OA）を通過させるバイパス通路および調湿室（37,38）の結露保護温度は、室外空気（OA）を通過させるバイパス通路および調湿室（37,38）において結露が発生する可能性が高いとみなせる温度（具体的には、室外空気（OA）の露点温度よりも僅かに高い温度）に設定されている。
【０１０９】
以上のような制御により、バイパス調湿運転において結露保護条件が成立する場合に第２調湿運転を終了させることができる。これにより、第１および第２調湿室（37,38）と第１および第２バイパス通路（81,82）とのうち少なくとも１つにおける結露の発生を防止することができる。
【０１１０】
（実施形態２）
図１５は、実施形態２による調湿装置（10）の構成例を示している。実施形態１による調湿装置（10）と同様に、実施形態２による調湿装置（10）は、ケーシング（11）と、冷媒回路（50）と、流路切換機構（40）と、コントローラ（95）とを備えている。
【０１１１】
なお、実施形態２による調湿装置（10）は、バイパス通路（80）と流路切換機構（40）の構成が実施形態１による調湿装置（10）と異なっている。実施形態２による調湿装置（10）では、バイパス通路（80）は、第１バイパス通路（81）によって構成され、流路切換機構（40）は、八つのダンパ（41〜48）と第１バイパス用ダンパ（83）によって構成されている。すなわち、実施形態２による調湿装置（10）では、図１〜図４に示した第２バイパス通路（82）と第２バイパス用ダンパ（84）が省略されている。その他の構成は、実施形態１による調湿装置（10）の構成と同様となっている。
【０１１２】
〈ケーシング〉
実施形態２では、実施形態１とは異なり、ケーシング（11）には、図１〜図４に示した第２仕切板（75）と仕切板（79）が設けられておらず、上流側仕切板（71）の左端部および下流側仕切板（72）の左端部は、第２側面パネル部（15）に接続されている。その他の構成は、実施形態１のケーシング（11）の構成と同様となっている。
【０１１３】
〈流路切換機構〉
実施形態２では、実施形態１と同様に、流路切換機構（40）は、ケーシング（11）内における空気の流路を切り換えるように構成されている。具体的には、流路切換機構（40）は、八つのダンパ（41〜48）とバイパス用ダンパ（83）をそれぞれ開閉させることで、ケーシング（11）内における空気の流路を第１経路（図１７）と第２経路（図１８）と第３経路（図１９）と第４経路（図２０）とに切り換える。なお、図１７〜図２０では、閉状態となっているダンパにはハッチングが付されている。
【０１１４】
《第１経路》
第１経路（図１７）を形成する場合、第１バイパス用ダンパ（83）が閉状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１バイパス通路（81）が閉鎖され、ケーシング（11）内に取り込まれた室外空気（OA）が第１吸着熱交換器（51）を通過して室内に供給され、ケーシング（11）内に取り込まれた室内空気（RA）が第２吸着熱交換器（52）を通過して室外に排出される。
【０１１５】
《第２経路》
第２経路（図１８）を形成する場合、第１バイパス用ダンパ（83）が閉状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１バイパス通路（81）が閉鎖され、ケーシング（11）内に取り込まれた室外空気（OA）が第２吸着熱交換器（52）を通過して室内に供給され、ケーシング（11）内に取り込まれた室内空気（RA）が第１吸着熱交換器（51）を通過して室外に排出される。
【０１１６】
《第３経路》
第３経路（図１９）を形成する場合、第１バイパス用ダンパ（83）が開状態となり、第２内気側ダンパ（42）と第１外気側ダンパ（43）と第１給気側ダンパ（45）と第２排気側ダンパ（48）が開状態となり、第１内気側ダンパ（41）と第２外気側ダンパ（44）と第２給気側ダンパ（46）と第１排気側ダンパ（47）が閉状態となる。この状態では、第１バイパス通路（81）が開通し、ケーシング（11）内に取り込まれた室外空気（OA）が第１吸着熱交換器（51）と第１バイパス通路（81）とを通過して室内に供給され、ケーシング（11）内に取り込まれた室内空気（RA）が第２吸着熱交換器（52）を通過して室外に排出される。
【０１１７】
《第４経路》
第４経路（図２０）を形成する場合、第１バイパス用ダンパ（83）が開状態となり、第１内気側ダンパ（41）と第２外気側ダンパ（44）と第２給気側ダンパ（46）と第１排気側ダンパ（47）が開状態となり、第２内気側ダンパ（42）と第１外気側ダンパ（43）と第１給気側ダンパ（45）と第２排気側ダンパ（48）が閉状態となる。この状態では、第１バイパス通路（81）が開通し、ケーシング（11）内に取り込まれた室外空気（OA）が第２吸着熱交換器（52）と第１バイパス通路（81）とを通過して室内に供給され、ケーシング（11）内に取り込まれた室内空気（RA）が第１吸着熱交換器（51）を通過して室外に排出される。
【０１１８】
なお、空気の経路（第１〜第４経路）とダンパ（41〜48,83）の開閉と吸着熱交換器（51,52）を通過する空気の種類（室外空気（OA）と室内空気（RA））との対応関係は、図１６に示すとおりである。
【０１１９】
〈コントローラ〉
実施形態２では、実施形態１と同様に、コントローラ（95）は、入力されたこれらの検出値や信号に基づいて、調湿装置（10）の流路切換機構（40）や冷媒回路（50）を制御する。具体的には、コントローラ（95）は、ダンパ（41〜48,83）と、ファン（25,26）と、圧縮機（53）と、電動膨張弁（55）と、四方切換弁（54）を制御する。
【０１２０】
また、実施形態２では、実施形態１と同様に、コントローラ（95）は、調湿装置（10）において通常調湿運転（第１調湿運転）とバイパス調湿運転（第２調湿運転）とが選択的に行われるように、冷媒回路（50）と流路切換機構（40）とを制御する。
【０１２１】
〈通常調湿運転（第１調湿運転）〉
通常調湿運転は、第１バイパス通路（81）を利用せずに室内の湿度調節を行う運転のことであり、室内の除湿を行う通常除湿運転と、室内の加湿を行う通常加湿運転とを含んでいる。
【０１２２】
通常調湿運転では、給気ファン（26）と排気ファン（25）が駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【０１２３】
また、通常調湿運転では、第１バイパス通路（81）が閉鎖され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）を通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【０１２４】
《通常調湿運転の第１動作》
図１７に示すように、通常調湿運転の第１動作では、ケーシング（11）内における空気の流路が第１経路に設定される。また、冷媒回路（50）において冷凍サイクル動作が行われる。具体的には、通常除湿運転では、冷媒回路（50）において第２冷凍サイクル動作が行われ、通常加湿運転では、冷媒回路（50）において第１冷凍サイクル動作が行われる。なお、実施形態２の通常調湿運転の第１動作における室外空気（OA）および室内空気（RA）の流れは、実施形態１の通常調湿運転の第１動作における室外空気（OA）および室内空気（RA）の流れ（図８参照）と同様となっている。
【０１２５】
《通常調湿運転の第２動作》
図１８に示すように、通常調湿運転の第２動作では、ケーシング（11）内における空気の流路が第２経路に設定される。また、冷媒回路（50）において冷凍サイクル動作が行われる。具体的には、通常除湿運転では、冷媒回路（50）において第１冷凍サイクル動作が行われ、通常加湿運転では、冷媒回路（50）において第２冷凍サイクル動作が行われる。なお、実施形態２の通常調湿運転の第２動作における室外空気（OA）および室内空気（RA）の流れは、実施形態１の通常調湿運転の第２動作における室外空気（OA）および室内空気（RA）の流れ（図９参照）と同様となっている。
【０１２６】
〈バイパス調湿運転（第２調湿運転）〉
バイパス調湿運転は、第１バイパス通路（81）を利用して室内の湿度調節を行う運転のことであり、室内の除湿を行うバイパス除湿運転と、室内の加湿を行うバイパス加湿運転とを含んでいる。
【０１２７】
バイパス調湿運転では、給気ファン（26）と排気ファン（25）とが駆動状態に設定される。これにより、室外空気（OA）が外気吸込口（24）を通過してケーシング（11）内に取り込まれ、室内空気（RA）が内気吸込口（23）を通過してケーシング（11）内に取り込まれる。
【０１２８】
また、バイパス調湿運転では、第１バイパス通路（81）が開通され、第１および第２吸着熱交換器（51,52）が凝縮器と蒸発器とに交互に切り換えられる。そして、ケーシング（11）内に取り込まれた室外空気（OA）が第１および第２吸着熱交換器（51,52）のうち一方の吸着熱交換器（具体的には、凝縮器および蒸発器の一方となっている吸着熱交換器）と第１バイパス通路（81）とを通過して室内に供給され、ケーシング（11）内に取り込まれた室内空気（RA）が第１および第２吸着熱交換器（51,52）のうち他方の吸着熱交換器（具体的には、凝縮器および蒸発器の他方となっている吸着熱交換器）を通過して室外に排出されるように、ケーシング（11）内における空気の流路が切り換えられる。具体的には、次の第１動作と第２動作とが３分間ずつ交互に繰り返し行われる。
【０１２９】
《バイパス調湿運転の第１動作》
図１９に示すように、バイパス調湿運転の第１動作では、流路切換機構（40）がケーシング（11）内における空気の流路を第３経路に設定する。また、冷媒回路（50）において冷凍サイクル動作が行われる。具体的には、バイパス除湿運転では、冷媒回路（50）において第２冷凍サイクル動作が行われ、バイパス加湿運転では、冷媒回路（50）において第１冷凍サイクル動作が行われる。なお、実施形態２のバイパス調湿運転の第１動作における室外空気（OA）の流れは、実施形態１のバイパス調湿運転の第１動作における室外空気（OA）の流れ（図１０参照）と同様となっている。
【０１３０】
内気吸込口（23）を通過して内気側通路（32）に取り込まれた室内空気（RA）は、第２内気側ダンパ（42）を通過して第２調湿室（38）に流入する。第２調湿室（38）に流入した室内空気（RA）は、第２調湿室（38）において第２吸着熱交換器（52）を通過して調湿（加湿または除湿）される。第２吸着熱交換器（52）において調湿された空気は、第２排気側ダンパ（48）と排気側通路（33）とを順に通過して排気ファン室（35）に流入し、その後、排気口（21）を通過して室外に排出される。
【０１３１】
《バイパス調湿運転の第２動作》
図２０に示すように、バイパス調湿運転の第２動作では、流路切換機構（40）がケーシング（11）内における空気の流路を第４経路に設定する。また、冷媒回路（50）において冷凍サイクル動作が行われる。具体的には、バイパス除湿運転では、冷媒回路（50）において第１冷凍サイクル動作が行われ、バイパス加湿運転では、冷媒回路（50）において第２冷凍サイクル動作が行われる。なお、実施形態２のバイパス調湿運転の第２動作における室外空気（OA）の流れは、実施形態１のバイパス調湿運転の第２動作における室外空気（OA）の流れ（図１１参照）と同様となっている。
【０１３２】
内気吸込口（23）を通過して内気側通路（32）に取り込まれた室内空気（RA）は、第１内気側ダンパ（41）を通過して第１調湿室（37）に流入する。第１調湿室（37）に流入した室内空気（RA）は、第１調湿室（37）において第１吸着熱交換器（51）を通過して調湿（加湿または除湿）される。第１吸着熱交換器（51）において調湿された空気は、第１排気側ダンパ（47）と排気側通路（33）とを順に通過して排気ファン室（35）に流入し、その後、排気口（21）を通過して室外に排出される。
【０１３３】
なお、調湿運転（通常調湿運転とバイパス調湿運転）の動作と空気の経路（第１〜第４経路）と冷媒回路（50）の冷凍サイクル動作（第１および第２冷凍サイクル動作）と運転状態（加湿運転と除湿運転）との対応関係は、実施形態１と同様、図１２に示すとおりである。
【０１３４】
〈運転モードの切り換え〉
また、実施形態２の調湿装置（10）における運転モードの切り換えは、実施形態１の調湿装置（10）における運転モードの切り換えと同様となっている。具体的には、実施形態１と同様に、実施形態２では、コントローラ（95）は、室内の調湿負荷（すなわち、室内空気（RA）の湿度と予め定められた目標湿度との差）に応じて圧縮機（53）の目標運転容量（Ctg）を設定する。そして、図１３に示すように、コントローラ（95）は、通常調湿運転が行われている場合に圧縮機（53）の目標運転容量（Ctg）が予め定められた下限運転容量（CL）を下回ると、通常調湿運転からバイパス調湿運転に切り換わるように冷媒回路（50）と流路切換機構（40）を制御する。また、図１３に示すように、コントローラ（95）は、バイパス調湿運転が行われている場合に圧縮機（53）の目標運転容量（Ctg）が予め定められた上限運転容量（CH）を上回ると、バイパス調湿運転から通常調湿運転に切り換わるように冷媒回路（50）と流路切換機構（40）を制御する。
【０１３５】
〈調湿能力の調節幅〉
また、実施形態１と同様に、実施形態２において、通常調湿運転（第１調湿運転）における圧縮機（53）の運転容量と調湿装置（10）の調湿能力との関係は、図１４に示した第１能力特性曲線（L1）のようになり、バイパス調湿運転（第２調湿運転）における圧縮機（53）の運転容量と調湿装置（10）の調湿能力との関係は、図１４に示した第２能力特性曲線（L2）のようになる。また、通常調湿運転における調湿装置（10）の調湿能力の調節幅は、図１４に示した調節幅（W1）のようになり、バイパス調湿運転における調湿装置（10）の調湿能力の調節幅は、図１４に示した調節幅（W2）のようになり、通常調湿運転とバイパス調湿運転とを切り換えて行う場合の調湿装置（10）の調湿能力の調節幅は、調湿幅（W3）のようになる。
【０１３６】
調湿運転の調湿能力は、圧縮機（53）の運転容量と第１および第２吸着熱交換器（51,52）を通過する空気の流量（特に吸着熱交換器（51,52）を通過する室外空気（OA）の風量）とに依存している。すなわち、圧縮機（53）の運転容量が高くなるに連れて調湿装置（10）の調湿能力が高くなる傾向にあり、吸着熱交換器（51,52）を通過する室外空気（OA）の風量が多くなるに連れて調湿装置（10）の調湿能力が高くなる傾向にある。
【０１３７】
また、バイパス調湿運転では、室外空気（OA）が吸着熱交換器（51,52）と第１バイパス通路（81）とに分流するので、バイパス調湿運転において吸着熱交換器（51,52）を通過する室外空気（OA）の風量は、通常調湿運転において吸着熱交換器（51,52）を通過する室外空気（OA）の風量よりも少なくなる。
【０１３８】
したがって、通常調湿運転からバイパス調湿運転に切り換えることにより、吸着熱交換器（51,52）を通過する室外空気（OA）の風量を減少させて調湿装置（10）の調湿能力の調節可能範囲を負側（低い側）にシフトさせることができる。逆に、バイパス調湿運転から通常調湿運転に切り換えることにより、吸着熱交換器（51,52）を通過する室外空気（OA）の風量を増加させて調湿装置（10）の調湿能力の調節可能範囲を正側（高い側）にシフトさせることができる。
【０１３９】
〈実施形態２による効果〉
以上のように、通常調湿運転とバイパス調湿運転とを切り換えることにより、調湿装置（10）の調湿能力の調節可能範囲をシフトさせることができる。具体的には、通常調湿運転において圧縮機（53）の目標運転容量（Ctg）が下限運転容量（CL）を下回る場合に通常調湿運転からバイパス調湿運転に切り換えることにより、調湿装置（10）の調湿能力を負側に調節する余裕がなくなりそうな場合に調湿装置（10）の調湿能力の調節可能範囲を負側にシフトさせることができる。また、バイパス調湿運転において圧縮機（53）の目標運転容量（Ctg）が上限運転容量（CH）を上回る場合にバイパス調湿運転から通常調湿運転に切り換えることにより、調湿装置（10）の調湿能力を正側に調節する余裕がなくなりそうな場合に調湿装置（10）の調湿能力の調節可能範囲を正側にシフトさせることができる。
【０１４０】
このように、通常調湿運転とバイパス調湿運転とを切り換えることにより、調湿装置（10）の調湿能力の調節可能範囲をシフトさせることができるので、通常調湿運転のみを行う場合よりも、調湿装置（10）の調湿能力の調節幅（調節可能範囲の幅）を拡張することができる。
【０１４１】
また、第１調湿能力（通常調湿運転において圧縮機（53）の運転容量が下限運転容量（CL）となる場合に対応する調湿装置（10）の調湿能力）が第２調湿能力（バイパス調湿運転において圧縮機（53）の運転容量が上限運転容量（CH）となる場合に対応する調湿装置（10）の調湿能力）よりも低くなるように、下限運転容量（CL）と上限運転容量（CH）とを設定することにより、通常調湿運転からバイパス調湿運転に切り換えられた直後に圧縮機（53）の運転容量が上限運転容量（CH）を上回ってバイパス調湿運転から通常調湿運転に戻ってしまうことを防止することができる。また、バイパス調湿運転から通常調湿運転に切り換えられた直後に圧縮機（53）の運転容量が下限運転容量（CL）を下回って通常調湿運転からバイパス調湿運転に戻ってしまうことを防止することができる。これにより、通常調湿運転とバイパス調湿運転との切り換えが頻発する現象（いわゆるハンチング）の発生を防止することができる。
【０１４２】
（実施形態２の変形例）
実施形態１の変形例と同様に、実施形態２による調湿装置（10）において、コントローラ（95）は、バイパス調湿運転（第２調湿運転）が行われている場合に、予め定められた結露保護条件が成立すると、バイパス調湿運転が終了するように（例えば、バイパス調湿運転から通常調湿運転に切り換わるように）冷媒回路（50）と流路切換機構（40）とを制御してもよい。なお、実施形態１の変形例と同様、上記の結露保護条件は、第１および第２調湿室（37,38）と第１バイパス通路（81）とのうち少なくとも１つにおける結露の発生を防止するために予め定められた条件である。
【０１４３】
以上のような制御により、バイパス調湿運転において結露保護条件が成立する場合に第２調湿運転を終了させることができる。これにより、第１および第２調湿室（37,38）と第１バイパス通路（81）とのうち少なくとも１つにおける結露の発生を防止することができる。
【０１４４】
（その他の実施形態）
以上の説明では、実施形態１において、バイパス調湿運転（第２調湿運転）においてケーシング（11）内に取り込まれた室外空気（OA）の一部が常に第１バイパス通路（81）を通過して室内に供給される一方で、ケーシング（11）内に取り込まれた室内空気（RA）の一部が常に第２バイパス通路（82）を通過して室外に排出されるように、流路切換機構（40）が構成されている場合を例に挙げたが、流路切換機構（40）は、次のように構成されていてもよい。すなわち、流路切換機構（40）は、ケーシング（11）内に取り込まれた室外空気（OA）の一部が第１バイパス通路（81）を通過して室内に供給される一方でケーシング（11）内に取り込まれた室内空気（RA）の一部が第２バイパス通路（82）を通過して室外に排出される第１バイパス状態と、ケーシング（11）内に取り込まれた室外空気（OA）の一部が第２バイパス通路（82）を通過して室内に供給される一方でケーシング（11）内に取り込まれた室内空気（RA）の一部が第１バイパス通路（81）を通過して室外に排出される第２バイパス状態とに交互に切り換えることができるように構成されていてもよい。このように構成した場合も、バイパス調湿運転（第２調湿運転）において、ケーシング（11）内に取り込まれた室外空気（OA）が第１および第２吸着熱交換器（51,52）の一方と第１および第２バイパス通路（81,82）の一方を通過して室内に供給され、ケーシング（11）内に取り込まれた室内空気（RA）が第１および第２吸着熱交換器（51,52）の他方と第１および第２バイパス通路（81,82）の他方とを通過して室外に排出される。
【０１４５】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０１４６】
以上説明したように、上述の調湿装置は、室内の湿度調節を行う調湿装置として有用である。
【符号の説明】
【０１４７】
１０          調湿装置
１１          ケーシング
３７          第１調湿室
３８          第２調湿室
４０          流路切換機構
５０          冷媒回路
５１          第１吸着熱交換器
５２          第２吸着熱交換器
５３          圧縮機
８０          バイパス通路
８１          第１バイパス通路
８２          第２バイパス通路
９５          コントローラ（制御部）
【手続補正２】
【補正対象書類名】特許請求の範囲
【補正対象項目名】全文
【補正方法】変更
【補正の内容】
【特許請求の範囲】
【請求項１】
第１および第２調湿室（37,38）とバイパス通路（80）とが設けられたケーシング（11）と、
圧縮機（53）と上記第１および第２調湿室（37,38）にそれぞれ設けられる第１および第２吸着熱交換器（51,52）とを有し、該第１および第２吸着熱交換器（51,52）を凝縮器と蒸発器とに切り換えることが可能な冷媒回路（50）と、
上記ケーシング（11）内における空気の流路を切り換える流路切換機構（40）と、
第１調湿運転と第２調湿運転とが行われるように上記冷媒回路（50）と上記流路切換機構（40）とを制御する制御部（95）とを備え、
上記第１調湿運転では、上記バイパス通路（80）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、
上記第２調湿運転では、上記バイパス通路（80）が開通し、上記ケーシング（11）内に取り込まれた室外空気（OA）が上記第１および第２吸着熱交換器（51,52）の一方と上記バイパス通路（80）とを通過して室内に供給され、該ケーシング（11）内に取り込まれた室内空気（RA）が該第１および第２吸着熱交換器（51,52）の他方を通過して室外に排出され、
上記制御部（95）は、上記第１調湿運転が行われている場合に、上記圧縮機（53）の目標運転容量（Ctg）が予め定められた下限運転容量（CL）を下回ると、該第１調湿運転から上記第２調湿運転に切り換わるように上記冷媒回路（50）と上記流路切換機構（40）とを制御する
ことを特徴とする調湿装置。
【請求項２】
請求項１において、
上記バイパス通路（80）は、第１および第２バイパス通路（81,82）を含み、
上記第１調湿運転では、上記第１および第２バイパス通路（81,82）が閉鎖され、上記ケーシング（11）内に取り込まれた室外空気（OA）が上記第１および第２吸着熱交換器（51,52）の一方を通過して室内に供給され、該ケーシング（11）内に取り込まれた室内空気（RA）が該第１および第２吸着熱交換器（51,52）の他方を通過して室外に排出され、
上記第２調湿運転では、上記第１および第２バイパス通路（81,82）が開通し、上記ケーシング（11）内に取り込まれた室外空気（OA）が上記第１および第２吸着熱交換器（51,52）の一方と上記第１および第２バイパス通路（81,82）の一方とを通過して室内に供給され、該ケーシング（11）内に取り込まれた室内空気（RA）が該第１および第２吸着熱交換器（51,52）の他方と該第１および第２バイパス通路（81,82）の他方とを通過して室外に排出される
ことを特徴とする調湿装置。
【請求項３】
請求項１または２において、
上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御する
ことを特徴とする調湿装置。
【請求項４】
請求項１または２において、
上記制御部（95）は、上記第２調湿運転が行われている場合に、上記圧縮機（53）の目標運転容量（Ctg）が予め定められた上限運転容量（CH）を上回ると、該第２調湿運転から上記第１調湿運転に切り換わるように上記冷媒回路（50）と上記流路切換機構（40）とを制御し、
上記第１調湿運転において上記圧縮機（53）の運転容量が上記下限運転容量（CL）となる場合に対応する第１調湿能力が上記第２調湿運転において該圧縮機（53）の運転容量が上記上限運転容量（CH）となる場合に対応する第２調湿能力よりも低くなるように、該下限運転容量（CL）と該上限運転容量（CH）が設定されている
ことを特徴とする調湿装置。
【請求項５】
請求項１〜４のいずれか１項において、
上記制御部（95）は、上記第２調湿運転が行われている場合に、上記第１および第２調湿室（37,38）と上記バイパス通路（80）とのうち少なくとも１つにおける結露の発生を防止するために予め定められた結露保護条件が成立すると、該第２調湿運転が終了するように上記冷媒回路（50）と上記流路切換機構（40）とを制御する
ことを特徴とする調湿装置。